(57)【要約】  共有無線周波数スペクトル帯域または専用無線周波数スペクトル帯域（または任意の利用可能な無線周波数スペクトル帯域）中での物理レイヤパラメータのシグナリングを可能にする技法が提供される。１つまたは複数の物理レイヤチャネルが、物理レイヤパラメータを送信するために使用され得、（１つまたは複数の）チャネルの異なる部分が、ＵＥの異なるグループのための物理レイヤ情報を搬送し得る。基地局は、ＵＥグループに基づいて特定のチャネルリソースを監視する当該ＵＥグループにＵＥを構成し得る。このようにして、基地局は、１つまたは複数のサブフレームについてワイヤレス通信を受信するためにＵＥによって受信され得る物理レイヤパラメータを送信し得る。基地局は、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを使用して監視されるべき物理レイヤパラメータを送信し得る。【選択図】図５
2018533888.tif 000002
【特許請求の範囲】
【請求項１】
第１のユーザ機器（ＵＥ）グループに第１の構成情報をシグナリングするためのチャネルのワイヤレスリソースの第１のサブセットを識別することと、
第２のＵＥグループに第２の構成情報をシグナリングするための前記チャネルのワイヤレスリソースの第２のサブセットを識別することと、前記第１の構成情報および前記第２の構成情報は、共有無線周波数スペクトル帯域を使用するワイヤレス通信のための１つまたは複数のパラメータを含み、
ワイヤレスリソースの前記第１のサブセットを使用して前記第１の構成情報を送信し、ワイヤレスリソースの前記第２のサブセットを使用して前記第２の構成情報を送信することと、
を備える、ワイヤレス通信のための方法。
【請求項２】
前記チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを備える、請求項１に記載の方法。
【請求項３】
前記第１の構成情報は、前記ＰＨＩＣＨを使用してシグナリングされ、前記第２の構成情報は、前記ＰＣＦＩＣＨまたは前記ＰＤＣＣＨのうちの１つまたは複数を使用してシグナリングされる、請求項２に記載の方法。
【請求項４】
ワイヤレスリソースの前記第１のサブセットまたはワイヤレスリソースの前記第２のサブセットのうちの１つを監視するようにＵＥを構成すること、
をさらに備える、請求項１に記載の方法。
【請求項５】
前記ＵＥを構成することは、
前記ＵＥがワイヤレスリソースの前記第１のサブセットまたはワイヤレスリソースの前記第２のサブセットのうちのどちらを監視すべきであるかを示す無線リソース制御（ＲＲＣ）情報を、前記ＵＥに送信すること、
をさらに備える、請求項４に記載の方法。
【請求項６】
前記第１の構成情報は、フレームフォーマットパラメータのセットを備え、前記第２の構成情報は、異なるパラメータ値を有する、フレームフォーマットパラメータの前記セットと重複する少なくとも１つのパラメータを備える、請求項１に記載の方法。
【請求項７】
フレームフォーマットパラメータの前記セットは、マルチメディアブロードキャスト単一周波数ネットワーク（ＭＢＳＦＮ）サブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することを停止する持続時間パラメータ、基準信号電力変動パラメータ、非周期的ＣＳＩ−ＲＳ存在パラメータまたは発見基準信号（ＤＲＳ）存在指示および構成、システム情報存在パラメータ、あるいは非監視サブフレームパラメータのうちの１つまたは複数を備える、請求項６に記載の方法。
【請求項８】
前記第１の構成情報は、前記第１のＵＥグループのＵＥによって使用されるべきフレームフォーマットパラメータのセットの第１のサブセットを備え、前記第２の構成情報は、前記第２のＵＥグループのＵＥによって使用されるべきフレームフォーマットパラメータの前記セットの第２のサブセットを備える、請求項１に記載の方法。
【請求項９】
フレームフォーマットパラメータの前記セットの前記第１のサブセットとフレームフォーマットパラメータの前記セットの前記第２のサブセットとのマッピングは、無線リソース制御（ＲＲＣ）シグナリングを介して前記第１のＵＥグループと前記第２のＵＥグループとに与えられる、請求項８に記載の方法。
【請求項１０】
前記送信することは、
前記第１の構成情報と前記第２の構成情報とをブロックコーディングすること、
をさらに備える、請求項１に記載の方法。
【請求項１１】
前記送信することは、
前記第１の構成情報のための第１の巡回冗長検査（ＣＲＣ）と、前記第２の構成情報のための第２のＣＲＣとを計算することと、
前記第１の構成情報に前記第１のＣＲＣを付加し、前記第２の構成情報に前記第２のＣＲＣを付加することと、
をさらに備える、請求項１に記載の方法。
【請求項１２】
前記送信することは、
前記第１のＵＥグループに割り当てられた第１の無線ネットワーク一時識別子（ＲＮＴＩ）を用いて前記第１のＣＲＣをスクランブルすることと、前記第２のＵＥグループに割り当てられた第２のＲＮＴＩを用いて前記第２のＣＲＣをスクランブルすることと、
をさらに備える、請求項１１に記載の方法。
【請求項１３】
前記第１の構成情報は、現在サブフレームと少なくとも１つの後続のサブフレームとのための情報を備える、請求項１に記載の方法。
【請求項１４】
前記第１の構成情報は、前記第１の構成情報のサイズを示すヘッダをさらに備える、請求項１に記載の方法。
【請求項１５】
前記第１の構成情報は、２つまたはそれ以上のサブフレーム間の電力変動を示すための電力変動情報をさらに備える、請求項１に記載の方法。
【請求項１６】
１つまたは複数のサブフレームのためのフレームフォーマット情報を含んでいるチャネルのワイヤレスリソースのセットのサブセットを識別する構成情報を受信することと、前記フレームフォーマット情報は、共有無線周波数スペクトル帯域を使用するワイヤレス通信のための１つまたは複数のパラメータを備え、
ワイヤレスリソースの前記セットの前記サブセットを監視することと、
ワイヤレスリソースの前記セットの前記サブセット上で前記フレームフォーマット情報を受信することと、
を備える、ワイヤレス通信のための方法。
【請求項１７】
前記チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを備える、請求項１６に記載の方法。
【請求項１８】
前記フレームフォーマット情報の第１の部分は前記ＰＨＩＣＨ上で受信され、前記フレームフォーマット情報の第２の部分は前記ＰＣＦＩＣＨまたは前記ＰＤＣＣＨ上で受信される、請求項１７に記載の方法。
【請求項１９】
前記構成情報は、基地局から無線リソース制御（ＲＲＣ）シグナリングを介して受信される、請求項１６に記載の方法。
【請求項２０】
前記フレームフォーマット情報は、マルチメディアブロードキャスト単一周波数ネットワーク（ＭＢＳＦＮ）サブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することを停止する持続時間パラメータ、基準信号電力変動パラメータ、非周期的ＣＳＩ−ＲＳ存在パラメータまたは発見基準信号（ＤＲＳ）存在指示および構成、システム情報存在パラメータ、あるいは非監視サブフレームパラメータのうちの１つまたは複数を備える、請求項１６に記載の方法。
【請求項２１】
第１のユーザ機器（ＵＥ）グループに第１の構成情報をシグナリングするためのチャネルのワイヤレスリソースの第１のサブセットを識別するための手段と、
第２のＵＥグループに第２の構成情報をシグナリングするための前記チャネルのワイヤレスリソースの第２のサブセットを識別するための手段と、前記第１の構成情報および前記第２の構成情報は、共有無線周波数スペクトル帯域を使用するワイヤレス通信のための１つまたは複数のパラメータを含み、
ワイヤレスリソースの前記第１のサブセットを使用して前記第１の構成情報を送信し、ワイヤレスリソースの前記第２のサブセットを使用して前記第２の構成情報を送信するための手段と、
を備える、ワイヤレス通信のための装置。
【請求項２２】
前記チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを備える、請求項２１に記載の装置。
【請求項２３】
前記第１の構成情報は、前記ＰＨＩＣＨを使用してシグナリングされ、前記第２の構成情報は、前記ＰＣＦＩＣＨまたは前記ＰＤＣＣＨのうちの１つまたは複数を使用してシグナリングされる、請求項２２に記載の装置。
【請求項２４】
ワイヤレスリソースの前記第１のサブセットまたはワイヤレスリソースの前記第２のサブセットのうちの１つを監視するようにＵＥを構成するための手段、
をさらに備える、請求項２１に記載の装置。
【請求項２５】
前記ＵＥがワイヤレスリソースの前記第１のサブセットまたはワイヤレスリソースの前記第２のサブセットのうちのどちらを監視すべきであるかを示す無線リソース制御（ＲＲＣ）情報を、前記ＵＥに送信するための手段、
をさらに備える、請求項２４に記載の装置。
【請求項２６】
前記第１の構成情報は、フレームフォーマットパラメータのセットを備え、前記第２の構成情報は、異なるパラメータ値を有する、フレームフォーマットパラメータの前記セットと重複する少なくとも１つのパラメータを備える、請求項２１に記載の装置。
【請求項２７】
１つまたは複数のサブフレームのためのフレームフォーマット情報を含んでいるチャネルのワイヤレスリソースのセットのサブセットを識別する構成情報を受信するための手段と、前記フレームフォーマット情報は、共有無線周波数スペクトル帯域を使用するワイヤレス通信のための１つまたは複数のパラメータを備え、
ワイヤレスリソースの前記セットの前記サブセットを監視するための手段と、
ワイヤレスリソースの前記セットの前記サブセット上で前記フレームフォーマット情報を受信するための手段と、
を備える、ワイヤレス通信のための装置。
【請求項２８】
前記チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを備える、請求項２７に記載の装置。
【請求項２９】
前記フレームフォーマット情報の第１の部分は前記ＰＨＩＣＨ上で受信され、前記フレームフォーマット情報の第２の部分は前記ＰＣＦＩＣＨまたは前記ＰＤＣＣＨ上で受信される、請求項２８に記載の装置。
【請求項３０】
前記構成情報は、基地局から無線リソース制御（ＲＲＣ）シグナリングを介して受信される、請求項２７に記載の装置。
【発明の詳細な説明】
【優先権の主張】
【０００１】
相互参照
本特許出願は、各々が本出願の譲受人に譲渡された、２０１６年１１月９日に出願された、「Physical Layer Signaling Techniques in Wireless Communications Systems」と題する、Ｙｅｒｒａｍａｌｌｉらによる米国特許出願第１５／３４７，３８２号、および２０１５年１１月１４日に出願された、「Physical Layer Signaling Techniques in Wireless Communications Systems」と題する、Ｙｅｒｒａｍａｌｌｉらによる米国仮特許出願第６２／２５５，３９４号の優先権を主張する。
【技術分野】
【０００２】
本開示は、たとえば、ワイヤレス通信システムに関し、より詳細には、共有無線周波数スペクトル帯域および専用無線周波数スペクトル帯域中で物理レイヤパラメータをシグナリングするための技法に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）デバイスとして知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]いくつかの通信モードは、セルラーネットワークの共有無線周波数スペクトル帯域中の、または異なる無線周波数スペクトル帯域中の（たとえば、専用無線周波数スペクトル帯域および共有無線周波数スペクトル帯域中の）基地局とＵＥとの間の通信を可能にし得る。しかしながら、１つのパブリックランドモバイルネットワーク（ＰＬＭＮ：public land mobile network）のデバイスによる使用のために割り振られ、あらかじめ決定された（またはすべての）時間においてＰＬＭＮの基地局またはＵＥにとって利用可能であり得る専用無線周波数スペクトル帯域中のキャリアとは対照的に、共有無線周波数スペクトル帯域中のキャリアは、ＰＬＭＮのデバイスによる使用のために間欠的に利用可能であり得る。この間欠的利用可能性は、ＰＬＭＮのデバイス、１つまたは複数の他のＰＬＭＮのデバイス、および／または他のデバイス（たとえば、Ｗｉ−Ｆｉ（登録商標）デバイス）間の、共有無線周波数スペクトル帯域のキャリアへのアクセスのための競合の結果であり得る。いくつかの無線フレームの場合は、ＰＬＭＮのデバイスが、共有無線周波数スペクトル帯域中のキャリアへのアクセスを求める競合に勝ち得るが、他の無線フレームの場合は、そのデバイスが、共有無線周波数スペクトル帯域中のキャリアへのアクセスを求める競合に勝たないことがある。
【０００６】
[0006]共有無線周波数スペクトル帯域中のキャリアの間欠的利用可能性のために、基地局およびＵＥは、共有無線周波数スペクトル帯域の他のユーザとの共存における公平性を与え、依然として、信頼できる通信を与える、技法を使用し得る。たとえば、そのような技法は、専用無線周波数スペクトル帯域を使用して何らかの情報または何らかのタイプの無線フレームを送信することと、共有無線周波数スペクトル帯域を使用して他の情報（たとえば、より低い優先度の情報）または無線フレームを送信することとを含み得る。そのような技法は認可支援アクセス（ＬＡＡ：License-Assisted Access）と呼ばれることがあり、いくつかのシステムでは、システム効率を向上させるために、専用無線周波数スペクトル帯域または共有無線周波数スペクトル帯域の一方または両方に関連するいくつかのパラメータを周期的に調整することが望ましいことがある。
【発明の概要】
【０００７】
[0007]本開示は、たとえば、ワイヤレス通信システムに関し、より詳細には、共有無線周波数スペクトル帯域および専用無線周波数スペクトル帯域中で物理レイヤパラメータをシグナリングするための技法に関する。前に示されたように、いくつかの場合には、ユーザ機器（ＵＥ）と基地局との間のワイヤレス送信のための１つまたは複数のパラメータを調整することが望ましいことがある。しかしながら、ロングタームエボリューション（ＬＴＥ（登録商標））およびＬＴＥアドバンスト（ＬＴＥ−Ａ）によって現在使用されるシグナリング機構は、たとえば、サブフレームごとになど、周期的に変動し得る物理レイヤパラメータをＵＥが通知されることを可能にしないことがある。
【０００８】
[0008]本開示で説明される技法は、共有無線周波数スペクトル帯域または専用無線周波数スペクトル帯域（または任意の利用可能な無線周波数スペクトル帯域）中での物理レイヤパラメータのシグナリングを可能にする。いくつかの例では、１つまたは複数の物理レイヤチャネルが、物理レイヤパラメータを送信するために再利用され得、（１つまたは複数の）チャネルの異なる部分が、ＵＥの異なるグループのための物理レイヤ情報を搬送し得る。基地局は、ＵＥグループに基づいて（１つまたは複数の）チャネルの構成された部分を監視するＵＥグループに、（たとえば、ＵＥ能力または送信されているデータのタイプに基づいて）ＵＥを構成し得る。このようにして、基地局は、１つまたは複数のサブフレームについてワイヤレス通信を受信するためにＵＥによって受信され得る物理レイヤパラメータを送信し得る。いくつかの例では、基地局は、無線リソース制御（ＲＲＣ）シグナリングを介してＵＥを構成し得、物理ハイブリッド自動再送要求（ＨＡＲＱ）インジケータチャネル（ＰＨＩＣＨ：physical HARQ indicator channel）、物理制御フォーマットインジケータチャネル（ＰＣＦＩＣＨ：physical control format indicator channel）、物理ダウンリンク制御チャネル（ＰＤＣＣＨ：physical downlink control channel）、またはそれらの組合せを使用して使用によって監視されるべき物理レイヤパラメータを送信し得る。
【０００９】
[0009]一例では、ワイヤレス通信のための方法が説明される。本方法は、第１のユーザ機器（ＵＥ）グループに第１の構成情報をシグナリングするためのチャネルのワイヤレスリソースの第１のサブセットを識別することと、第２のＵＥグループに第２の構成情報をシグナリングするためのチャネルのワイヤレスリソースの第２のサブセットを識別することと、第１の構成情報および第２の構成情報が、共有無線周波数スペクトル帯域を使用するワイヤレス通信のための１つまたは複数のパラメータを含む、ワイヤレスリソースの第１のサブセットを使用して第１の構成情報を送信し、ワイヤレスリソースの第２のサブセットを使用して第２の構成情報を送信することとを含み得る。
【００１０】
[0010]本方法のいくつかの例では、チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを含み得る。いくつかの例では、第１の構成情報は、ＰＨＩＣＨを使用してシグナリングされ得、第２の構成情報は、ＰＣＦＩＣＨまたはＰＤＣＣＨのうちの１つまたは複数を使用してシグナリングされ得る。
【００１１】
[0011]追加または代替として、本方法は、ワイヤレスリソースの第１のサブセットまたはワイヤレスリソースの第２のサブセットのうちの１つを監視するようにＵＥを構成することをも与え得る。ＵＥを構成することは、いくつかの例では、ＵＥがワイヤレスリソースの第１のサブセットまたはワイヤレスリソースの第２のサブセットのうちのどちらを監視すべきであるかを示す無線リソース制御（ＲＲＣ）情報を、ＵＥに送信することをさらに含み得る。
【００１２】
[0012]本方法のいくつかの例では、第１の構成情報はフレームフォーマットパラメータのセットを含み得、第２の構成情報は、異なるパラメータ値を有する、フレームフォーマットパラメータのセットと重複する少なくとも１つのパラメータを含み得る。フレームフォーマットパラメータのセットは、たとえば、マルチメディアブロードキャスト単一周波数ネットワーク（ＭＢＳＦＮ）サブフレームタイプパラメータ、部分サブフレーム情報パラメータ、ダウンリンク／アップリンク構成パラメータ、ダウンリンク送信バースト長パラメータ、アップリンク送信のための持続時間パラメータ（time duration for uplink transmissions parameter）、ＵＥがダウンリンク送信を監視することを停止する持続時間のパラメータ（time duration for which a UE stops monitoring downlink transmissions parameter）、基準信号電力変動パラメータ、非周期的チャネル状態情報−基準信号（ＣＳＩ−ＲＳ）存在パラメータ（aperiodic channel state information-reference signal(CSI-RS)presence parameter）または発見基準信号（ＤＲＳ）存在指示および構成、システム情報存在パラメータ、あるいは非監視サブフレームパラメータ（do not monitor subframe parameter）のうちの１つまたは複数を含み得る。
【００１３】
[0013]本方法のいくつかの例では、第１の構成情報は、第１のＵＥグループのＵＥによって使用されるべきフレームフォーマットパラメータのセットの第１のサブセットを含み得、第２の構成情報は、第２のＵＥグループのＵＥによって使用されるべきフレームフォーマットパラメータのセットの第２のサブセットを含み得る。いくつかの例によれば、フレームフォーマットパラメータのセットの第１のサブセットとフレームフォーマットパラメータのセットの第２のサブセットとのマッピングが、無線リソース制御（ＲＲＣ）シグナリングを介して第１のＵＥグループと第２のＵＥグループとに与えられ得る。
【００１４】
[0014]本方法のいくつかの例では、第１の構成情報と第２の構成情報とのブロックコーディングが与えられ得る。いくつかの例では、第１の構成情報について第１の巡回冗長検査（ＣＲＣ）が計算され得、第２の構成情報について第２のＣＲＣが計算され得、第１のＣＲＣは第１の構成情報に付加され得、第２のＣＲＣは第２の構成情報に付加され得る。送信することは、いくつかの例では、第１のＵＥグループに割り当てられた第１の無線ネットワーク一時識別子（ＲＮＴＩ）を用いて第１のＣＲＣをスクランブルすることと、第２のＵＥグループに割り当てられた第２のＲＮＴＩを用いて第２のＣＲＣをスクランブルすることとをさらに含み得る。
【００１５】
[0015]本方法のいくつかの例では、第１の構成情報は、現在サブフレームと少なくとも１つの後続のサブフレームとのための情報を含み得る。追加または代替として、第１の構成情報は、第１の構成情報のサイズを示すヘッダをさらに含み得る。追加または代替として、第１の構成情報は、２つまたはそれ以上のサブフレーム間の電力変動を示すための電力変動情報をさらに含み得る。
【００１６】
[0016]一例では、ワイヤレス通信のための方法が説明される。本方法は、１つまたは複数のサブフレームのためのフレームフォーマット情報を含んでいるチャネルのワイヤレスリソースのセットのサブセットを識別する構成情報を受信すること、フレームフォーマット情報が、共有無線周波数スペクトル帯域を使用するワイヤレス通信のための１つまたは複数のパラメータを備え、と、ワイヤレスリソースのセットのサブセットを監視することと、ワイヤレスリソースのセットのサブセット上でフレームフォーマット情報を受信することと、を含み得る。
【００１７】
[0017]本方法のいくつかの例では、チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを含み得る。いくつかの例では、フレームフォーマット情報の第１の部分がＰＨＩＣＨ上で受信され得、フレームフォーマット情報の第２の部分がＰＣＦＩＣＨまたはＰＤＣＣＨ上で受信され得る。
【００１８】
[0018]本方法のいくつかの例では、構成情報は、基地局から無線リソース制御（ＲＲＣ）シグナリングを介して受信され得る。いくつかの例では、フレームフォーマット情報は、マルチメディアブロードキャスト単一周波数ネットワーク（ＭＢＳＦＮ）サブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することを停止する持続時間のパラメータ、基準信号電力変動パラメータ、非周期的チャネル状態情報−基準信号（ＣＳＩ−ＲＳ）存在パラメータまたは発見基準信号（ＤＲＳ）存在指示および構成、システム情報存在パラメータ、あるいは非監視サブフレームパラメータのうちの１つまたは複数を含み得る。
【００１９】
[0019]一例では、ワイヤレス通信のための装置が説明される。本装置は、プロセッサと、プロセッサと電子通信しているメモリとを含み得る。プロセッサおよびメモリは、第１のユーザ機器（ＵＥ）グループに第１の構成情報をシグナリングするためのチャネルのワイヤレスリソースの第１のサブセットを識別することと、第２のＵＥグループに第２の構成情報をシグナリングするためのチャネルのワイヤレスリソースの第２のサブセットを識別することと、第１の構成情報および第２の構成情報が、共有無線周波数スペクトル帯域を使用するワイヤレス通信のための１つまたは複数のパラメータを含む、ワイヤレスリソースの第１のサブセットを使用して第１の構成情報を送信し、ワイヤレスリソースの第２のサブセットを使用して第２の構成情報を送信することとを行うように構成され得る。
【００２０】
[0020]本装置のいくつかの例では、チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを含み得る。いくつかの例では、第１の構成情報は、ＰＨＩＣＨを使用してシグナリングされ得、第２の構成情報は、ＰＣＦＩＣＨまたはＰＤＣＣＨのうちの１つまたは複数を使用してシグナリングされ得る。
【００２１】
[0021]追加または代替として、本装置は、ワイヤレスリソースの第１のサブセットまたはワイヤレスリソースの第２のサブセットのうちの１つを監視するようにＵＥを構成することをも与え得る。ＵＥを構成することは、いくつかの例では、ＵＥがワイヤレスリソースの第１のサブセットまたはワイヤレスリソースの第２のサブセットのうちのどちらを監視すべきであるかを示す無線リソース制御（ＲＲＣ）情報を、ＵＥに送信することをさらに含み得る。
【００２２】
[0022]本装置のいくつかの例では、第１の構成情報はフレームフォーマットパラメータのセットを含み得、第２の構成情報は、異なるパラメータ値を有する、フレームフォーマットパラメータのセットと重複する少なくとも１つのパラメータを含み得る。
【００２３】
[0023]一例では、ワイヤレス通信のための装置が説明される。本装置は、プロセッサと、プロセッサと電子通信しているメモリとを含み得る。プロセッサ及びメモリは、１つまたは複数のサブフレームのためのフレームフォーマット情報を含んでいるチャネルのワイヤレスリソースのセットのサブセットを識別する構成情報を受信すること、フレームフォーマット情報が、共有無線周波数スペクトル帯域を使用するワイヤレス通信のための１つまたは複数のパラメータを備え、と、ワイヤレスリソースのセットのサブセットを監視することと、ワイヤレスリソースのセットのサブセット上でフレームフォーマット情報を受信することとを行うように構成される。
【００２４】
[0024]本装置のいくつかの例では、チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを含み得る。いくつかの例では、フレームフォーマット情報の第１の部分がＰＨＩＣＨ上で受信され得、フレームフォーマット情報の第２の部分がＰＣＦＩＣＨまたはＰＤＣＣＨ上で受信され得る。本装置のいくつかの例では、構成情報は、基地局から無線リソース制御（ＲＲＣ）シグナリングを介して受信され得る。
【００２５】
[0025]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的でのみ与えられるものであり、特許請求の範囲の制限の定義として与えられるものではない。
【００２６】
[0026]本開示の性質および利点のさらなる理解は、以下の図面を参照することによって実現され得る。添付の図では、同様の構成要素または機能は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００２７】
【図１】[0027]本開示の様々な態様による、ワイヤレス通信システムの一例を示す図。
【図２】[0028]本開示の様々な態様による、ＬＴＥ／ＬＴＥ−Ａが、共有無線周波数スペクトル帯域を使用して認可支援アクセス（ＬＡＡ）キャリアアグリゲーション（ＣＡ）モードの下で展開され得るワイヤレス通信システムを示す図。
【図３Ａ】[0029]本開示の様々な態様による、ＬＡＡ送信のための構成パラメータの送信のための物理チャネルのリソースの一例を示す図。
【図３Ｂ】[0030]本開示の様々な態様による、ＬＡＡ送信のための構成パラメータの送信のための物理チャネルのリソースの別の例を示す図。
【図４】[0031]本開示の様々な態様による、構成情報の物理チャネル送信を使用して送信される、ヘッダと巡回冗長検査（ＣＲＣ）とを含む情報を示す図。
【図５】[0032]本開示の様々な態様による、基地局が第１のＵＥと第２のＵＥとに物理レイヤリソースのための構成情報を送信し得る、メッセージフローを示す図。
【図６】[0033]本開示の様々な態様による、ワイヤレス通信において使用するための装置のブロック図。
【図７】[0034]本開示の様々な態様による、ワイヤレス通信において使用するための装置のブロック図。
【図８】[0035]本開示の様々な態様による、ワイヤレス通信において使用するための装置のブロック図。
【図９】[0036]本開示の様々な態様による、ワイヤレス通信において使用するための装置のブロック図。
【図１０】[0037]本開示の様々な態様による、ワイヤレス通信において使用するための基地局（たとえば、ｅＮＢの一部または全部を形成する基地局）のブロック図。
【図１１】[0038]本開示の様々な態様による、ワイヤレス通信において使用するためのＵＥのブロック図。
【図１２】[0039]本開示の様々な態様による、ワイヤレス通信のための方法の一例を示すフローチャート。
【図１３】[0040]本開示の様々な態様による、ワイヤレス通信のための方法の一例を示すフローチャート。
【図１４】[0041]本開示の様々な態様による、ワイヤレス通信のための方法の一例を示すフローチャート。
【発明を実施するための形態】
【００２８】
[0042]共有無線周波数スペクトル帯域がワイヤレス通信システム上での通信の少なくとも一部分のために使用される技法が説明される。いくつかの例では、共有無線周波数スペクトル帯域はＬＴＥ／ＬＴＥ−Ａ通信のために使用され得る。共有無線周波数スペクトル帯域は、専用無線周波数スペクトル帯域と組み合わせて、またはそれとは無関係に使用され得る。専用無線周波数スペクトル帯域は、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。
【００２９】
[0043]専用無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者（たとえば、ＰＬＭＮまたはＬＴＥ／ＬＴＥ−Ａネットワークなどのセルラーネットワークを画定する基地局の協調セットの事業者）に拡張データ送信容量のための機会を与え得る。共有無線周波数スペクトル帯域の使用はまた、専用無線周波数スペクトル帯域へのアクセスが利用不可能であるエリア中でサービスを与え得る。
【００３０】
[0044]デバイスが、専用無線周波数スペクトル帯域と共有無線周波数スペクトル帯域の両方を使用し得るので、本開示の態様で説明される基地局およびＵＥは、共有無線周波数スペクトル帯域の他のユーザとの拡張共存と、拡張システム動作と、低減されたＵＥ電力消費とを与えるための技法を使用し得る。本開示は、共有無線周波数スペクトル帯域および専用無線周波数スペクトル帯域中で物理レイヤパラメータをシグナリングするための技法を提供する。前に示されたように、いくつかの場合には、ユーザ機器（ＵＥ）と基地局との間のワイヤレス送信のための１つまたは複数のパラメータを調整することが望ましいことがある。しかしながら、ロングタームエボリューション（ＬＴＥ）およびＬＴＥアドバンスト（ＬＴＥ−Ａ）によって現在使用されるシグナリング機構は、たとえば、サブフレームごとに変動し得る物理レイヤパラメータをＵＥが通知されることを可能にしないことがある。
【００３１】
[0045]本開示で説明される技法は、共有無線周波数スペクトル帯域または専用無線周波数スペクトル帯域（または任意の利用可能な無線周波数スペクトル帯域）中での物理レイヤパラメータのシグナリングを可能にする。いくつかの例では、１つまたは複数の物理レイヤチャネルが、物理レイヤパラメータを送信するために使用され得、（１つまたは複数の）チャネルの異なる部分が、ＵＥの異なるグループのための物理レイヤ情報を搬送し得る。基地局は、（たとえば、ＵＥ能力または送信されているデータのタイプに基づいて）ＵＥを、（１つまたは複数の）チャネルの構成された部分を監視するＵＥグループに、当該ＵＥグループに基づいて構成し得る。このようにして、基地局は、１つまたは複数のサブフレームについてワイヤレス通信を受信するためにＵＥによって受信され得る物理レイヤパラメータを送信し得る。いくつかの例では、基地局は、無線リソース制御（ＲＲＣ）シグナリングを介してＵＥを構成し得、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを使用する使用によって監視されるべき物理レイヤパラメータを送信し得る。
【００３２】
[0046]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００３３】
[0047]図１は、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して、直接的または間接的のいずれかで（たとえば、コアネットワーク１３０を通して）、互いと通信し得る。
【００３４】
[0048]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３５】
[0049]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３６】
[0050]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる（たとえば、認可、共有などの）無線周波数スペクトル帯域中で動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。また、フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３７】
[0051]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００３８】
[0052]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。ＲＬＣレイヤが、論理チャネル上で通信するために、パケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ：Hybrid ARQ）を使用し得る。制御プレーンでは、ＲＲＣプロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。本開示の様々な態様によれば、基地局１０５は、ＰＨＹレイヤパラメータに関係する情報を１つまたは複数のＵＥ１１５にシグナリングし得る。そのようなＰＨＹレイヤパラメータは、たとえば、共有無線周波数スペクトル帯域または専用無線周波数スペクトル帯域上でのいくつかの送信のための送信電力を変動させることと、無線周波数スペクトル帯域を使用して部分サブフレームを送信することと、アップリンク／ダウンリンク構成を変更することと、ＵＥ１１５がダウンリンク送信を監視しないことがある持続時間を変更することとを含み得る。いくつかの例では、ＰＨＹレイヤパラメータは、ＵＥ１１５がＰＨＹレイヤ特性を決定するために監視し得る物理レイヤチャネル中でシグナリングされ得る。
【００３９】
[0053]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００４０】
[0054]ワイヤレス通信システム１００に示されている通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。
【００４１】
[0055]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、（本開示におけるいくつかの場合には「データ」と総称される）制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対スペクトルリソース（paired spectrum resources）を使用して）、または時間領域複信（ＴＤＤ：time domain duplexing）動作を使用して（たとえば、不対スペクトルリソース（unpaired spectrum resources）を使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００４２】
[0056]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００４３】
[0057]ワイヤレス通信システム１００は、複数のセルまたはキャリア上での動作、すなわち、キャリアアグリゲーション（ＣＡ）またはデュアル接続性動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。キャリアアグリゲーションは、ＦＤＤコンポーネントキャリアとＴＤＤコンポーネントキャリアの両方とともに使用され得る。
【００４４】
[0058]ＬＴＥ／ＬＴＥ−Ａネットワークでは、ＵＥ１１５は、キャリアアグリゲーションモードまたはデュアル接続性モードで動作しているとき、最高５つのコンポーネントキャリア（ＣＣ）を使用して通信するように構成され得る。ＣＣのうちの１つまたは複数はＤＬ  ＣＣとして構成され得、ＣＣのうちの１つまたは複数はＵＬ  ＣＣとして構成され得る。また、ＵＥ１１５に割り振られたＣＣのうちの１つは１次ＣＣ（ＰＣＣ）として構成され得、ＵＥ１１５に割り振られた残りのＣＣは、２次ＣＣ（ＳＣＣ）として構成され得る。
【００４５】
[0059]いくつかの例では、ワイヤレス通信システム１００は、専用無線周波数スペクトル帯域（たとえば、無線周波数スペクトル帯域が、特定の使用のために特定のユーザに認可されているので、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域））、または共有無線周波数スペクトル帯域（たとえば、送信装置がそれのためにアクセスを求めて競合し得る、無線周波数スペクトル帯域（たとえば、Ｗｉ−Ｆｉ使用など、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域））上での動作をサポートし得る。共有無線周波数スペクトル帯域へのアクセスを求める競合に勝つと、送信装置（たとえば、基地局１０５またはＵＥ１１５）は、共有無線周波数スペクトル帯域上で１つまたは複数のチャネル使用ビーコン信号（ＣＵＢＳ：channel usage beacon signal）を送信し得る。ＣＵＢＳは、共有無線周波数スペクトル帯域上で検出可能なエネルギーを与えることによって、共有無線周波数スペクトル帯域を予約し得る。ＣＵＢＳはまた、送信装置を識別するように働くか、または送信装置と受信装置とを同期させるように働き得る。
【００４６】
[0060]前に示されたように、いくつかの状況では、ＵＥ１１５と基地局１０５との間のワイヤレス送信のための１つまたは複数のパラメータを調整することが望ましいことがある。本明細書で説明される様々な技法は、共有無線周波数スペクトル帯域または専用無線周波数スペクトル帯域（または任意の利用可能な無線周波数スペクトル帯域）中での物理レイヤパラメータのシグナリングを可能にする。いくつかの例では、１つまたは複数の物理レイヤチャネルが、物理レイヤパラメータを送信するために再利用され得、（１つまたは複数の）チャネルの異なる部分が、ＵＥ１１５の異なるグループのための物理レイヤ情報を搬送し得る。基地局１０５は、ＵＥグループに基づいて（１つまたは複数の）チャネルの構成された部分を監視する当該ＵＥグループに、（たとえば、ＵＥ能力または送信されているデータのタイプに基づいて）ＵＥ１１５を構成し得る。このようにして、基地局１０５は、１つまたは複数のサブフレームについてワイヤレス通信を受信するためにＵＥ１１５によって受信され得る物理レイヤパラメータを送信し得る。いくつかの例では、基地局１０５は、ＲＲＣシグナリングを介してＵＥ１１５を構成し得、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを使用して使用によって監視されるべき物理レイヤパラメータを送信し得る。
【００４７】
[0061]図２は、本開示の様々な態様による、ＬＴＥ／ＬＴＥ−Ａが、共有無線周波数スペクトル帯域を使用して認可支援アクセス（ＬＡＡ：licensed-assisted access）キャリアアグリゲーション（ＣＡ）モードの下で展開され得るワイヤレス通信システム２００を示す。ワイヤレス通信システム２００は、図１を参照しながら説明されたワイヤレス通信システム１００の部分の一例であり得る。その上、基地局２０５は、図１を参照しながら説明された基地局１０５のうちの１つまたは複数の態様の一例であり得、ＵＥ２１５は、図１を参照しながら説明されたＵＥ１１５のうちの１つまたは複数の態様の例であり得る。
【００４８】
[0062]ワイヤレス通信システム２００におけるＬＡＡ  ＣＡモードの一例では、基地局２０５は、第１の双方向リンク２３０を使用してＵＥ２１５にＯＦＤＭＡ波形を送信し得、第１の双方向リンク２３０を使用してＵＥ２１５からＯＦＤＭＡ波形、シングルキャリア周波数分割多元接続（ＳＣ−ＦＤＭＡ）波形、またはリソースブロックインターリーブＦＤＭＡ波形を受信し得る。第１の双方向リンク２３０は、共有無線周波数スペクトル帯域中の周波数Ｆ１に関連し得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。基地局２０５はまた、第２の双方向リンク２３５を使用してＵＥ２１５にＯＦＤＭＡ波形を送信し得、第２の双方向リンク２３５を使用してＵＥ２１５からＳＣ−ＦＤＭＡ波形を受信し得る。第２の双方向リンク２３５は、専用無線周波数スペクトル帯域中の周波数Ｆ２に関連し得る。専用無線周波数スペクトル帯域は、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。第１の双方向リンク２３０は基地局２０５にダウンリンクおよびアップリンク容量オフロードを与え得る。この例は、サービスプロバイダ（たとえば、モバイルネットワーク事業者（ＭＮＯ））が、専用無線周波数スペクトル帯域を使用し、共有無線周波数スペクトル帯域を使用するトラフィックまたはシグナリング輻輳を軽減するときに行われ得る。この例は説明の目的で提示され、容量オフロードのために、専用無線周波数スペクトル帯域中のＬＴＥ／ＬＴＥ−Ａ通信を共有無線周波数スペクトル帯域中のＬＴＥ／ＬＴＥ−Ａ通信と組み合わせる他の同様の動作モードまたは展開シナリオがあり得る。
【００４９】
[0063]上記で説明されたように、共有無線周波数スペクトル帯域中のＬＴＥ／ＬＴＥ−Ａを使用することによって提供される容量オフロードから恩恵を受け得る１つのタイプのサービスプロバイダは、専用無線周波数スペクトル帯域ＬＴＥ／ＬＴＥ−Ａへのアクセス権利を有する旧来のＭＮＯである。これらのサービスプロバイダの場合、動作例は、専用無線周波数スペクトル帯域上のＬＴＥ／ＬＴＥ−Ａ  ＰＣＣと共有無線周波数スペクトル帯域上の少なくとも１つのＳＣＣとを使用するブートストラップモードを含み得る。
【００５０】
[0064]ＬＡＡ  ＣＡモードでは、データおよび制御信号は、たとえば、専用無線周波数スペクトル帯域中で（たとえば、第２の双方向リンク２３５を介して）通信され得るが、データは、たとえば、共有無線周波数スペクトル帯域中で（たとえば、第１の双方向リンク２３０を介して）通信され得る。代替的に、制御信号はまた、共有無線周波数スペクトル帯域中で通信され得る。いくつかの例では、共有無線周波数スペクトル帯域を使用するときにサポートされるキャリアアグリゲーション機構は、ハイブリッド周波数分割複信−時分割複信（ＦＤＤ−ＴＤＤ）キャリアアグリゲーションまたはコンポーネントキャリアにわたる異なる対称性を伴うハイブリッド時分割複信−時分割複信（ＴＤＤ−ＴＤＤ）キャリアアグリゲーションに入り（fall under）得る。
【００５１】
[0065]いくつかの例では、図１を参照しながら説明された基地局１０５または図２を参照しながら説明された基地局２０５のうちの１つ、あるいは図１を参照しながら説明されたＵＥ１１５または図２を参照しながら説明されたＵＥ２１５のうちの１つなど、送信装置が、共有無線周波数スペクトル帯域のチャネルへの（たとえば、共有無線周波数スペクトル帯域の物理チャネルへの）アクセスを獲得するために、ゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期し得る。ゲーティング間隔は、欧州通信規格協会（ＥＴＳＩ）（ＥＮ３０１  ８９３）において指定されているリッスンビフォアトーク（ＬＢＴ）プロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、ＣＣＡプロシージャなどの競合プロシージャ（たとえば、ＬＢＴプロシージャ）をいつ実行する必要があるかを示し得る。ＣＣＡプロシージャの結果は、共有無線周波数スペクトル帯域のチャネルが（ＬＢＴ無線フレームとも呼ばれる）ゲーティング間隔のために利用可能であるのか使用中であるのかを送信装置に示し得る。チャネルが、対応するＬＢＴ無線フレームのために利用可能（たとえば、使用のために「クリア」）であることをＣＣＡプロシージャが示すとき、送信装置は、ＬＢＴ無線フレームの一部または全部中に共有無線周波数スペクトル帯域のチャネルを予約または使用し得る。チャネルが利用可能でないこと（たとえば、チャネルが別の送信装置によって使用中または予約済みであること）をＣＣＡプロシージャが示すとき、送信装置は、ＬＢＴ無線フレーム中にチャネルを使用することを妨げられ得る。
【００５２】
[0066]ＬＡＡ  ＣＡモードを採用するいくつかの例では、共有無線周波数スペクトル帯域の他のユーザとのフェアな共存を与え、拡張システム動作を与え、低減されたＵＥ電力消費を与えるための様々な技法が使用され得る。そのような技法のうちのいくつかは、ＵＥ１１５が、ダウンリンク送信、アップリンク送信、それらの組合せのために受信および使用し得る、いくつかの物理レイヤパラメータのシグナリングに依拠し得る。いくつかの例では、物理レイヤパラメータは、マルチメディアブロードキャスト単一周波数ネットワーク（ＭＢＳＦＮ）サブフレームタイプパラメータ、部分サブフレーム情報パラメータ（たとえば、２〜４ビット）、ダウンリンク／アップリンク構成パラメータ（たとえば、４〜６ビット）、ダウンリンク送信バースト長パラメータ、アップリンク送信のための持続時間パラメータ、ＵＥがダウンリンク送信を監視することをそれの間停止する持続時間パラメータ、基準信号電力変動パラメータ、非周期的チャネル状態情報−基準信号（ＣＳＩ−ＲＳ）存在パラメータまたは発見基準信号（ＤＲＳ）存在指示および構成、システム情報存在パラメータ、非監視サブフレームパラメータ、あるいはそれらの組合せを含み得る。さらに、本開示のいくつかの態様では、これらのパラメータは、サブフレームごとにシグナリングされ、したがって、物理レイヤパラメータの動的または半静的構成を与え得る。
【００５３】
[0067]本開示のいくつかの態様では、そのような物理レイヤパラメータは、ＰＣＦＩＣＨ、ＰＨＩＣＨ、ＰＤＣＣＨ、またはそれらの組合せなど、１つまたは複数の物理レイヤチャネルのリソースを使用してシグナリングされ得る。いくつかの例では、物理レイヤパラメータは、ＬＡＡ  ＣＡモードで使用されないＰＨＩＣＨを使用してシグナリングされ、ＵＥ２１５の複数のグループが、グループ共通ＰＨＩＣＨ設計を使用してシグナリングされ得る。他の例では、そのような物理レイヤパラメータはＰＣＦＩＣＨ中でシグナリングされ得る。しかしながら、ＰＣＦＩＣＨは、比較的限られた容量を有し得、したがって、いくつかの例では、ＰＣＦＩＣＨチャネルは、限られた量の物理レイヤパラメータがＵＥグループに与えられる必要があるときに使用され得る。いくつかの例では、物理レイヤパラメータの第１の部分が、ＰＣＦＩＣＨを使用して送信され、物理レイヤパラメータの第２の部分が、ＰＨＩＣＨ、ＰＤＣＣＨ、またはそれらの組合せを使用して送信され得る。ＰＣＦＩＣＨは、それが比較的速い復号を与えるので、いくつかのパラメータにとって望ましいことがある。
【００５４】
[0068]いくつかの例では、ＰＨＩＣＨリソースは、２つまたはそれ以上の異なるＵＥグループのためのパラメータのシグナリングを含み得る、物理レイヤパラメータをシグナリングするために使用される。たとえば、異なるＵＥは、異なるＵＥに関連する物理レイヤパラメータに基づいて、異なるＵＥグループに属し得る。そのような場合、ＵＥの第１のグループが、ＰＨＩＣＨリソースの第１のサブセットを監視し得、ＵＥの第２のグループが、ＰＨＩＣＨリソースの第２のサブセットを監視し得る。ＰＨＩＣＨリソースは、基地局２０５が、グループ共通ＰＨＩＣＨリソースを使用して異なるＵＥグループに与えられるべきである物理レイヤパラメータの量に従って構成し得る、構成可能な数の利用可能なリソースを有し得る。さらに、ＰＨＩＣＨリソースは、セル固有基準信号（ＣＲＳ）チャネル推定に続いて比較的迅速にＵＥ２１５によって復号され得、これは、ダウンリンク送信を受信および復号するためのＵＥ２１５タイムラインに対する影響を低減するのを助けることができる。
【００５５】
[0069]他の例では、ＰＤＣＣＨリソースは、２つまたはそれ以上の異なるＵＥグループのためのパラメータのシグナリングを含み得る、物理レイヤパラメータをシグナリングするために使用され、ＵＥの第１のグループが、共通ＰＤＣＣＨリソースの第１のサブセットを監視し、ＵＥの第２のグループが、共通ＰＤＣＣＨリソースの第２のサブセットを監視し得る。ＰＤＣＣＨリソースは、以下でより詳細に説明されるように、比較的高い容量を与え、ＣＲＣの存在によりＰＨＩＣＨシグナリングよりも信頼できる送信を与え得、ただし、いくつかの例では、ＣＲＣがグループ共通ＰＨＩＣＨ送信のために使用され得る。しかしながら、物理レイヤパラメータのＰＤＣＣＨベースシグナリングは、ダウンリンク送信を受信および復号するためのＵＥ２１５タイムラインに影響を及ぼし得る追加の復号遅延を招き得る。さらに、Ｓｃｅｌｌは、いくつかの展開では、共通ＰＤＣＣＨを監視することを期待され得ず、したがって、そのような監視は、そのような場合、新しい挙動として実装され得る。
【００５６】
[0070]いくつかの例では、ＵＥ２１５は、発見測定タイミング構成（ＤＭＴＣ：discovery measurement timing configuration）に従ってネイバーセル発見測定を実行し得る。そのようなセル発見測定は、ネイバーセル（たとえば、基地局２０５に対して隣接する基地局）によって送信されたＤＲＳに関連する測定を含み得る。ＤＭＴＣは、ＵＥ２１５が、１キャリアについてＤＲＳが存在すると想定し得る時間インスタンスを示し得る。ＤＭＴＣオケージョン（occasion）は、いくつかの展開によれば、６ｍｓの固定持続時間と、４０、８０、または１６０ｍｓの構成可能な周期性とを有する。所与のキャリア周波数上の異なるセルのＤＲＳオケージョンの送信時間は、異なるセルがＤＲＳ送信中にＵＥ２１５によって発見され得ることを保証するために、ＤＭＴＣ構成と整合され得る。そのような「浮動（floating）」ＤＲＳを用いたネイバーセル測定を可能にするために、サブフレームを復号するＵＥ２１５によって使用されるサブフレームのスクランブリングシーケンスと、送信される関連するサブフレーム番号とが整合され(aligned)得る。しかしながら、共有無線周波数スペクトル帯域のＬＢＴプロシージャが、送信の変化した整合(changed alignments)を生じ得る事例では、サブフレームの関連するスクランブリングシーケンスのサブフレーム番号が不一致であり得る。
【００５７】
[0071]本開示のいくつかの例によれば、ＤＭＴＣオケージョンのために使用されるスクランブリングシーケンスは、１フレーム中で送信され得るサブフレームの第１のサブセットについて第１のスクランブリングシーケンスであるように設定され得（たとえば、サブフレーム０スクランブリングシーケンスが、１フレームのサブフレーム０〜５のために使用され得）、サブフレームの第２のサブセットについて第２のスクランブリングシーケンスであるように設定され得る（たとえば、サブフレーム５スクランブリングシーケンスが、フレームのサブフレーム５〜９のために使用され得る）。そのようなスクランブリングシーケンスは、ＤＭＴＣウィンドウの一部であるサブフレームのために使用され得、また、ＤＭＴＣウィンドウ中に、すべての基準信号（ＰＳＳ／ＳＳＳ／ＣＲＳ／ＣＳＩ−ＲＳ／ＵＥ−ＲＳなど）と、ＰＣＦＩＣＨ、ＰＤＣＣＨ、ＰＤＳＣＨ、ＥＰＤＣＣＨ、ＰＨＩＣＨなどを含むチャネルとのために使用され得る。ＤＭＴＣウィンドウ中のすべてのサブフレーム中のＰＣＦＩＣＨ／ＰＤＣＣＨ／ＰＨＩＣＨのための開始位置は、スクランブリングが第１のスクランブリングシーケンス（たとえば、サブフレーム０スクランブリング）または第２のスクランブリングシーケンス（たとえば、サブフレーム５スクランブリング）のいずれかであると仮定することによって決定され得る。同様に、ＰＤＳＣＨ処理およびシーケンススクランブリングも、ＳＦ０スクランブリングまたはＳＦ５スクランブリングのいずれかのみを使用し得る。これは、浮動ＤＲＳがすべてのサブフレーム中のＰＤＳＣＨと多重化されることを可能にし得る。いくつかの例では、ＤＭＴＣウィンドウ内のサブフレーム中で送信されるＰＳＳおよびＳＳＳ、ならびにＤＲＳが、ＰＳＳ／ＳＳＳ信号を含んでいるトーンの周りでレートマッチングされ得るか、またはＤＲＳは、ＰＳＳ／ＳＳＳを含み得るトーンを回避するために、サブフレームの中心の６つのリソースブロックの周りでレートマッチングされ得る。さらに、いくつかの例では、ＤＭＴＣに続くアップリンク送信のためのＴＤＤ展開では、アップリンクスクランブリングシーケンスは、ダウンリンクサブフレームスクランブリングシーケンスと同じスクランブリングシーケンスになるように選択され得る。
【００５８】
[0072]図３Ａは、本開示の様々な態様による、ＬＡＡ送信のための構成パラメータ３００の送信のための物理チャネルのリソースの一例を示す。構成パラメータ３００は、図１を参照しながら説明された基地局１０５または図２を参照しながら説明された基地局２０５のうちの１つなど、デバイスによって送信され得る。
【００５９】
[0073]構成パラメータ３００は、共有無線周波数スペクトル帯域または専用無線周波数スペクトル帯域のいずれか上で、上記で説明されたのと同様に、物理チャネル（たとえば、ＰＨＩＣＨ、ＰＣＦＩＣＨ、またはＰＤＣＣＨ）を使用して送信され得る。図３Ａの例では、構成パラメータ３００は、ＵＥグループ１構成情報３０５と、ＵＥグループ２構成情報３１０とを含み得る。いくつかの例では、追加の構成情報が、追加のＵＥグループのために与えられ得、ＵＥグループ１構成情報３０５とＵＥグループ２構成情報３１０とに関して与えられる説明は、そのような追加のグループに拡張され得る。いくつかの例では、セル中のいくつかのＵＥ（たとえば、図１のＵＥ１１５または図２のＵＥ２１５）が、構成パラメータ３００中で送信される異なるグループ情報を監視するために分割され得る。たとえば、構成パラメータがグループ共通ＰＨＩＣＨを使用して送信される場合、異なるＵＥは、それらの構成パラメータを決定するためにＰＨＩＣＨの異なる部分を監視し得る。サービング基地局（たとえば、図１の基地局１０５または図２の基地局２０５）が、ＲＲＣシグナリングを通してなど、リソースの１つまたは複数のセットを監視するように各ＵＥを構成し得る。異なるＵＥが１つのＵＥグループ中で構成され、各ＵＥグループ中の各ＵＥは、それらの物理レイヤパラメータを決定するために、構成されたＰＨＩＣＨリソースを監視し得る。
【００６０】
[0074]いくつかの例では、ＵＥグループ１構成情報３０５およびＵＥグループ２構成情報３１０は、サブフレームごとに送信され、ＬＡＡ  ＣＡモード動作に関係する異なるパラメータなど、パラメータの異なるセットを用いて異なるＵＥにシグナリングするために使用され得る。たとえば、いくつかのＵＥは、部分サブフレームの受信および送信をサポートし得、そのようなＵＥは、ＵＥグループ１構成情報３０５を監視するように構成され得、したがって、ＵＥグループ１構成情報３０５中に含まれている構成パラメータの第１のセットをシグナリングされ得る。しかしながら、他のＵＥは、部分サブフレームの受信および送信をサポートし得ず、そのようなＵＥは、ＵＥグループ２構成情報３１０を監視するように構成され得、したがって、ＵＥグループ２構成情報３１０中に含まれている構成パラメータの第２のセットをシグナリングされ得る。他の例では、ダウンリンク送信バーストの異なる長さが、ＵＥグループ１構成情報３０５とＵＥグループ２構成情報３１０とを通して、異なるＵＥグループ中のＵＥに示され得る。追加または代替として、ダウンリンク送信バーストの後に、異なるＵＥグループのＵＥは、異なるＵＥが異なる時間に起動することができるように、アップリンク送信のための時間の異なる量を示され、したがって、特定の送信に基づいて、異なるＵＥに電力節約を与え得る。またさらなる例では、所与のサブフレームは、いくつかのＵＥのための有効な発見基準信号（ＤＲＳ）サブフレームであるが、他のＵＥのための有効な発見基準信号（ＤＲＳ）サブフレームでないことがあり、これは、ＵＥグループ１構成情報３０５とＵＥグループ２構成情報３１０とを通してＵＥグループにシグナリングされ得る。
【００６１】
[0075]いくつかの例では、ＵＥグループ１構成情報３０５およびＵＥグループ２構成情報３１０は、フレームフォーマットパラメータのセットのサブセットであるフレームフォーマットパラメータを含み得る。たとえば、フレームフォーマットパラメータのセットは、マルチメディアブロードキャスト単一周波数ネットワーク（ＭＢＳＦＮ）サブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することをそれの間停止する持続時間パラメータ、基準信号電力変動パラメータ、非周期的ＣＳＩ−ＲＳ存在パラメータまたは発見基準信号（ＤＲＳ）存在指示および構成、システム情報存在パラメータ、あるいは非監視サブフレームパラメータのうちの１つまたは複数を含み得る。いくつかのパラメータの場合、ＵＥは、何らかのアクションをとる必要があり得、異なるＵＥグループのＵＥは、異なるアクションをとるようにシグナリングされ得る。たとえば、ＵＥに持続時間の間（たとえば、次の数ミリ秒の間）ダウンリンク送信を監視しないように示すパラメータの場合、ＵＥは、復調、チャネル品質指示（ＣＱＩ）および無線リソース管理（ＲＲＭ）処理などを含む、すべてのダウンリンク処理を中断し得る。
【００６２】
[0076]いくつかの例では、ＵＥグループ１構成情報３０５およびＵＥグループ２構成情報３１０は、現在サブフレーム中の構成を示すことに加えて、後続のサブフレームに関する情報を搬送するために使用され得るいくつかのビットを含み得る。そのような情報は、ＵＥが処理の準備をするのを助けるために、ＵＥへの事前シグナリングを与え得る。たとえば、部分サブフレーム構成と、部分サブフレーム構成に関連する物理チャネルリソースとの事前通知のための情報が与えられ得る。
【００６３】
[0077]いくつかの例では、ＵＥグループ１構成情報３０５およびＵＥグループ２構成情報３１０の一部分が、第１の物理レイヤチャネル（たとえば、ＰＨＩＣＨ）を使用してシグナリングされ得、ＵＥグループ１構成情報３０５およびＵＥグループ２構成情報３１０の他の部分が、第２の物理レイヤチャネル（たとえば、ＰＣＦＩＣＨまたはＰＤＣＣＨのうちの１つまたは複数）を使用してシグナリングされ得る。
【００６４】
[0078]さらなる例では、ＵＥグループ１構成情報３０５およびＵＥグループ２構成情報３１０は、送信バースト内の電力変動をシグナリングし得る。たとえば、いくつかの送信は、２５６ＱＡＭ（または概してより高次の変調）を送信するとき、サブフレーム中の何らかの電力バックオフを使用し得、ＵＥグループ１構成情報３０５および／またはＵＥグループ２構成情報３１０中のビットのうちのいくつかが、あるサブフレームから別のサブフレームへの電力変動を示し得る。
【００６５】
[0079]図３Ｂは、本開示の様々な態様による、ＬＡＡ送信のための構成パラメータ３５０の送信のための物理チャネルのリソースの別の例を示す。構成パラメータ３５０は、図１を参照しながら説明された基地局１０５または図２を参照しながら説明された基地局２０５のうちの１つなど、デバイスによって送信され得る。
【００６６】
[0080]構成パラメータ３５０は、共有無線周波数スペクトル帯域または専用無線周波数スペクトル帯域のいずれか上で、上記で説明されたのと同様に、物理チャネル（たとえば、ＰＨＩＣＨ、ＰＣＦＩＣＨ、またはＰＤＣＣＨ）を使用して送信され得る。図３Ｂの例では、構成パラメータ３００は、構成パラメータＡ３５５、構成パラメータＢ３６０、構成パラメータＣ３６５〜構成パラメータＮ３７０を含み得る。したがって、様々な構成パラメータ３５５〜３７０は、物理チャネル（たとえば、ＰＨＩＣＨ、ＰＤＣＣＨ、またはＰＣＦＩＣＨ）リソースの異なる部分に分割され得る。異なるＵＥ（たとえば、図１のＵＥ１１５または図２のＵＥ２１５）は、それらの物理レイヤパラメータを決定するために、構成パラメータ３５５〜３７０のサブセットを監視するように（たとえば、図１の基地局１０５または図２の基地局２０５などの基地局からのＲＲＣシグナリングを介して）構成され得る。たとえば、図３Ｂに示されているように、第１のグループ、ＵＥグループ１中のＵＥは、構成パラメータＡ３５５と、構成パラメータＢ３６０と、構成パラメータＣ３６５とを監視し得、ＵＥグループ２のＵＥは、構成パラメータＣ３６５と構成パラメータＮ３７０とを監視し得る。異なる構成パラメータは、図３Ａに関して上記で説明されたような、様々な構成パラメータに対応し得る。構成パラメータの数と、構成パラメータから物理レイヤチャネル（たとえば、ＰＨＩＣＨ、ＰＤＣＣＨ、またはＰＣＦＩＣＨ）のリソースへのマッピングとが、ＲＲＣ構成によって示され得る。
【００６７】
[0081]図４は、本開示の様々な態様による、構成情報４００の物理チャネル送信を使用して送信される、ヘッダと巡回冗長検査（ＣＲＣ）とを含む情報を示す。構成情報４００は、図１を参照しながら説明された基地局１０５または図２を参照しながら説明された基地局２０５のうちの１つなど、デバイスによって送信され得る。
【００６８】
[0082]本例では、図４の、構成情報４００は、ヘッダ４０５と、物理レイヤ構成情報４１０と、ＣＲＣ４１５とを含み得る。いくつかの例では、構成情報は、たとえば、図３Ａまたは図３Ｂで説明された情報を含み得る、物理レイヤ構成情報４１０のみを含み得る。いくつかの例では、物理レイヤ構成情報４１０中に含まれるビットのブロックコーディングが、信頼性を改善するために使用され得る。たとえば、リードマラーコード（Reed Muller codes）が、物理レイヤ構成情報４１０のビットをブロックコーディングするために使用され得る。図４の例では、構成情報４００はオプションのＣＲＣ４１５を含む。いくつかの例では、基地局（たとえば、図１の基地局１０５または図２の基地局２０５）は、４ビットＣＲＣなど、ＣＲＣを算出し得、これは、ＵＥ（たとえば、図１のＵＥ１１５または図２のＵＥ２１５）における構成情報４００の受信の信頼性を著しく改善し得る。いくつかの例では、ＣＲＣ４１５は、グループ共通無線ネットワーク一時識別子（ＲＮＴＩ）を用いてスクランブルされ得る。そのような例では、各ＵＥは、監視すべき物理チャネル（たとえば、ＰＨＩＣＨ）リソースＲＮＴＩを（たとえば、ＲＲＣシグナリングを介して）割り当てられ得る。
【００６９】
[0083]図４の例では、構成情報４００はオプションのヘッダ４０５をも含む。いくつかの例では、ヘッダ４０５は、物理レイヤ構成情報４１０中で送信されるペイロードのサイズを示すために与えられ得る。いくつかの例では、ヘッダ４０５は、ペイロードのサイズを示すための２ビットヘッダであり得、ＵＥは、２ビットヘッダの状態に基づく対応するペイロードサイズを用いて構成され得る。いくつかの例では、ヘッダ４０５は、ＣＲＣによってブロックコーディングまたは保護されない。
【００７０】
[0084]図５は、本開示の様々な態様による、基地局５０５が第１のＵＥ５１５−ａと第２のＵＥ５１５−ｂとに物理レイヤリソースのための構成情報を送信し得る、メッセージフローを示す。メッセージは、上記で説明されたような物理レイヤリソースを使用して、基地局５０５と第１のＵＥ５１５−ａと第２のＵＥ５１５−ｂとの間で送信され得る。基地局５０５は、図１を参照しながら説明された基地局１０５または図２を参照しながら説明された基地局２０５の態様の一例であり得、第１のＵＥ５１５−ａおよび第２のＵＥ５１５−ｂは、図１を参照しながら説明されたＵＥ１１５または図２を参照しながら説明されたＵＥ２１５の態様の例であり得る。
【００７１】
[0085]５２０において、基地局５０５は、第１のＵＥグループ構成情報を送信するためのリソースを識別する。そのようなリソースは、上記で説明されたのと同様に、ＰＨＩＣＨ、ＰＣＦＩＣＨ、またはＰＤＣＣＨのリソースなど、物理チャネルリソースの一部分であり得る。ブロック５２５において、基地局５０５は、第２のＵＥグループ構成情報を送信するためのリソースを識別する。そのようなリソースも、上記で説明されたのと同様に、ＰＨＩＣＨ、ＰＣＦＩＣＨ、またはＰＤＣＣＨのリソースなど、物理チャネルリソースの一部分であり得る。第１のＵＥグループ構成情報および第２のＵＥグループ構成情報は、共有無線周波数スペクトル帯域を使用するワイヤレス通信のための１つまたは複数のパラメータを含み得る。たとえば、そのようなパラメータは、ＬＡＡ  ＣＡモード送信に関連し得、上記で説明されたのと同様の様式で、１つまたは複数のサブフレームに関連する物理パラメータを含み得る。基地局５０５は、第１のＵＥ５１５−ａおよび第２のＵＥ５１５−ｂの各々によって監視されるべきであるリソースを含み得るＲＲＣ構成情報５３０を、第１のＵＥ５１５−ａと第２のＵＥ５１５−ｂとに送信し得る。
【００７２】
[0086]第１のＵＥ５１５−ａは、ブロック５３５において、ＲＲＣ構成情報５３０に従って、構成情報を決定するために監視されるチャネルリソースを構成する。同様に、第２のＵＥ５１５−ｂは、ブロック５４０において、ＲＲＣ構成情報５３０に従って、構成情報を決定するために監視されるチャネルリソースを構成する。ブロック５４５において、基地局５０５は、送信のための構成情報を決定する。そのような構成情報は、たとえば、ＭＢＳＦＮサブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することをそれの間停止する持続時間パラメータ、基準信号電力変動パラメータ、非周期的ＣＳＩ−ＲＳ存在パラメータまたはＤＲＳ存在指示および構成、システム情報存在パラメータ、あるいは非監視サブフレームパラメータのうちの１つまたは複数など、サブフレームのための、またはＵＥ動作のための１つまたは複数の物理パラメータを含み得る。
【００７３】
[0087]オプションのブロック５５０において、基地局５０５は、構成情報にブロックコーディングを適用すべきかどうかを決定し、構成情報のためのヘッダおよび／またはＣＲＣ情報を決定する。基地局５０５は、構成情報５５５を第１のＵＥ５１５−ａと第２のＵＥ５１５−ｂとに送信し得る。異なるＵＥのための構成情報５５５は、ブロック５２０およびブロック５２５からの異なるＵＥグループ構成情報を送信するための識別されたリソースに従って、送信のために使用される物理チャネルの異なるリソース中に含められ得る。図５の例では、基地局５０５は、第１のＵＥ５１５−ａ（および第１のＵＥグループ中の他のＵＥ）が、サブフレームを受信すべきであると決定し得、そのような受信のための構成情報を含み得、基地局５０５は、第２のＵＥ５１５−ｂ（および第２のＵＥグループ中の他のＵＥ）が、持続時間の間サブフレームまたは他のダウンリンク送信を監視すべきでないと決定し得る。
【００７４】
[0088]ブロック５６０において、第１のＵＥ５１５−ａは、監視されたリソース中の構成情報に基づいてフレームフォーマットを決定する。ブロック５６５において、第２のＵＥ５１５−ｂは、構成情報が非監視サブフレームを示すと決定し、ＤＬ送信を監視しないための持続時間を決定する。したがって、第２のＵＥ５１５−ｂは、持続時間の間ダウンリンク送信を監視しない電力節約モードに入り得る。基地局５０５は、第１のＵＥ５１５−ａによって受信され得るサブフレーム送信５７０を送信し得る。ブロック５７５において、第１のＵＥ５１５−ａは、サブフレーム送信５７０を受信し、ブロック５６０からの決定されたフレームフォーマットに基づいてサブフレームを復号する。図５の例は２つのＵＥ５１５のみを示すが、説明される技法は、より多くのＵＥに適用され得、より多くのＵＥグループに適用され得ることを理解されよう。さらに、図５の例は、第２のＵＥ５１５−ｂがサブフレーム送信５７０を監視しないことを示すが、他の例は、第２のＵＥ５１５−ｂがサブフレーム送信５７０を受信するために使用し得る構成情報を与え得る。
【００７５】
[0089]図６は、本開示の様々な態様による、ワイヤレス通信において使用するための装置６０５のブロック図６００を示す。装置６０５は、図１を参照しながら説明されたＵＥ１１５、図２を参照しながら説明されたＵＥ２１５または図５を参照しながら説明されたＵＥ５１５のうちの１つまたは複数の態様の一例であり得る。装置６０５はまた、プロセッサであるか、またはそれを含み得る。装置６０５は、受信機６１０、ワイヤレス通信マネージャ６２０、または送信機６３０を含み得る。これらの構成要素の各々は、互いと通信し得る。
【００７６】
[0090]装置６０５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００７７】
[0091]いくつかの例では、受信機６１０は、専用無線周波数スペクトル帯域（たとえば、無線周波数スペクトル帯域が、特定の使用のために特定のユーザに認可されているので、送信装置がそれのためにアクセスを求めて競合しないことがある、無線周波数スペクトル帯域）、または共有無線周波数スペクトル帯域（たとえば、送信装置がそれのためにアクセスを求めて競合し得る、無線周波数スペクトル帯域（たとえば、Ｗｉ−Ｆｉ使用など、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１、図２、図３、図４、または図５を参照しながら説明されたように、ＬＴＥ／ＬＴＥ−Ａ通信のために使用され得る。受信機６１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機（たとえば、専用ＲＦスペクトル帯域のためのＬＴＥ／ＬＴＥ−Ａ受信機６１２）、および共有無線周波数スペクトル帯域上で通信するためのＬＴＥ／ＬＴＥ−Ａ受信機（たとえば、共有ＲＦスペクトル帯域のためのＬＴＥ／ＬＴＥ−Ａ受信機６１４）の形態をとり得る。専用ＲＦスペクトル帯域のためのＬＴＥ／ＬＴＥ−Ａ受信機６１２または共有ＲＦスペクトル帯域のためのＬＴＥ／ＬＴＥ−Ａ受信機６１４を含む受信機６１０は、図１を参照しながら説明されたワイヤレス通信システム１００または図２を参照しながら説明されたワイヤレス通信システム２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【００７８】
[0092]いくつかの例では、送信機６３０は、専用無線周波数スペクトル帯域または共有無線周波数スペクトル帯域上で送信するように動作可能な少なくとも１つのＲＦ送信機など、少なくとも１つのＲＦ送信機を含み得る。送信機６３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機（たとえば、専用ＲＦスペクトル帯域のためのＬＴＥ／ＬＴＥ−Ａ送信機６３２）、および共有無線周波数スペクトル帯域上で通信するためのＬＴＥ／ＬＴＥ−Ａ送信機（たとえば、共有ＲＦスペクトル帯域のためのＬＴＥ／ＬＴＥ−Ａ送信機６３４）の形態をとり得る。専用ＲＦスペクトル帯域のためのＬＴＥ／ＬＴＥ−Ａ送信機６３２または共有ＲＦスペクトル帯域のためのＬＴＥ／ＬＴＥ−Ａ送信機６３４を含む送信機６３０は、図１を参照しながら説明されたワイヤレス通信システム１００または図２を参照しながら説明されたワイヤレス通信システム２００の１つまたは複数の通信リンクなど、ワイヤレス通信システムの１つまたは複数の通信リンク上で様々なタイプのデータまたは制御信号（すなわち、「データ」または送信）を送信するために使用され得る。通信リンクは、専用無線周波数スペクトル帯域または共有無線周波数スペクトル帯域上で確立され得る。
【００７９】
[0093]いくつかの例では、ワイヤレス通信マネージャ６２０は、装置６０５のためのワイヤレス通信の１つまたは複数の態様を管理するために使用され得る。いくつかの例では、ワイヤレス通信マネージャ６２０の一部は、受信機６１０または送信機６３０に組み込まれるかまたはそれと共有され得る。いくつかの例では、ワイヤレス通信マネージャ６２０は、ワイヤレスリソースマッパ６３５と、フレームフォーマット構成決定器６４０と、構成情報マネージャ６４５とを含み得る。
【００８０】
[0094]いくつかの例では、ワイヤレスリソースマッパ６３５は、第１のユーザ機器（ＵＥ）グループに第１の構成情報をシグナリングするためのチャネルのワイヤレスリソースの第１のサブセットを識別するために使用され得、第２のＵＥグループに第２の構成情報をシグナリングするためのチャネルのワイヤレスリソースの第２のサブセットを識別し得、第１の構成情報および第２の構成情報は、共有無線周波数スペクトル帯域を使用するワイヤレス通信のための１つまたは複数のパラメータを含む。いくつかの例では、送信機６３０は、ワイヤレスリソースの第１のサブセットを使用して第１の構成情報を送信し、ワイヤレスリソースの第２のサブセットを使用して第２の構成情報を送信し得る。いくつかの例では、チャネルは、ＰＨＩＣＨ、ＰＣＦＩＣＨ、ＰＤＣＣＨ、またはそれらの組合せを含み得る。いくつかの例では、第１の構成情報は、ＰＨＩＣＨを使用してシグナリングされ得、第２の構成情報は、ＰＣＦＩＣＨまたはＰＤＣＣＨのうちの１つまたは複数を使用してシグナリングされ得る。他の例では、第１の構成情報は、ＰＨＩＣＨを使用してシグナリングされ得、第２の構成情報は、ＰＨＩＣＨを使用してシグナリングされ得る。ワイヤレスリソースマッパ６３５はまた、ワイヤレスリソースの第１のサブセットへの、フレームフォーマットパラメータの第１のサブセットのマッピングと、ワイヤレスリソースの第２のサブセットへの、フレームフォーマットパラメータの第２のサブセットのマッピングとを決定し得る。
【００８１】
[0095]フレームフォーマット構成決定器６４０は、送信のためのフレームフォーマットを決定するために使用され得る。そのようなフレームフォーマット決定は、たとえば、特定のデータ、またはデータを受信すべきであるＵＥに基づき得る。いくつかの例では、フレームフォーマット構成決定器６４０は、第１のＵＥグループのＵＥによって使用されるべきフレームフォーマットパラメータのセットの第１のサブセットを含み得る第１の構成情報を決定し得、第２のＵＥグループのＵＥによって使用されるべきフレームフォーマットパラメータのセットの第２のサブセットを含み得る第２の構成情報を決定し得る。
【００８２】
[0096]構成情報マネージャ６４５は、送信のための決定されたフレームフォーマットに少なくとも部分的に基づいて構成情報を決定し得る。たとえば、構成情報は、第１のＵＥグループまたは第２のＵＥグループのＵＥによって使用されるべきフレームフォーマットパラメータの１つまたは複数のサブセットのフレームフォーマットパラメータのためのフレームフォーマットパラメータ値を含み得る。
【００８３】
[0097]図７は、本開示の様々な態様による、ワイヤレス通信において使用するための装置７０５のブロック図７００を示す。装置７０５は、図１を参照しながら説明されたＵＥ１１５、図２を参照しながら説明されたＵＥ２１５または図５を参照しながら説明されたＵＥ５１５のうちの１つまたは複数の態様、あるいは図６を参照しながら説明された装置６０５の態様の一例であり得る。装置７０５はまた、プロセッサであるか、またはそれを含み得る。装置７０５は、受信機７１０、ワイヤレス通信マネージャ７２０、または送信機７３０を含み得る。これらの構成要素の各々は、互いと通信していることがある。
【００８４】
[0098]装置７０５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００８５】
[0099]いくつかの例では、受信機７１０は、専用無線周波数スペクトル帯域（たとえば、無線周波数スペクトル帯域が、特定の使用のために特定のユーザに認可されているので、送信装置がアクセスを求めて競合し得ない、無線周波数スペクトル帯域）、または共有無線周波数スペクトル帯域（たとえば、送信装置がアクセスを求めて競合し得る、無線周波数スペクトル帯域（たとえば、Ｗｉ−Ｆｉ使用など、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１、図２、図３、図４、または図５を参照しながら説明されたように、ＬＴＥ／ＬＴＥ−Ａ通信のために使用され得る。受信機７１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機（たとえば、専用ＲＦスペクトル帯域のためのＬＴＥ／ＬＴＥ−Ａ受信機７１２）、および共有無線周波数スペクトル帯域上で通信するためのＬＴＥ／ＬＴＥ−Ａ受信機（たとえば、共有ＲＦスペクトル帯域のためのＬＴＥ／ＬＴＥ−Ａ受信機７１４）の形態をとり得る。専用ＲＦスペクトル帯域のためのＬＴＥ／ＬＴＥ−Ａ受信機７１２または共有ＲＦスペクトル帯域のためのＬＴＥ／ＬＴＥ−Ａ受信機７１４を含む受信機７１０は、図１を参照しながら説明されたワイヤレス通信システム１００または図２を参照しながら説明されたワイヤレス通信システム２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【００８６】
[0100]いくつかの例では、送信機７３０は、専用無線周波数スペクトル帯域または共有無線周波数スペクトル帯域上で送信するように動作可能な少なくとも１つのＲＦ送信機など、少なくとも１つのＲＦ送信機を含み得る。送信機７３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機（たとえば、専用ＲＦスペクトル帯域のためのＬＴＥ／ＬＴＥ−Ａ送信機７３２）、および共有無線周波数スペクトル帯域上で通信するためのＬＴＥ／ＬＴＥ−Ａ送信機（たとえば、共有ＲＦスペクトル帯域のためのＬＴＥ／ＬＴＥ−Ａ送信機７３４）の形態をとり得る。専用ＲＦスペクトル帯域のためのＬＴＥ／ＬＴＥ−Ａ送信機７３２または共有ＲＦスペクトル帯域のためのＬＴＥ／ＬＴＥ−Ａ送信機７３４を含む送信機７３０は、図１を参照しながら説明されたワイヤレス通信システム１００または図２を参照しながら説明されたワイヤレス通信システム２００の１つまたは複数の通信リンクなど、ワイヤレス通信システムの１つまたは複数の通信リンク上で様々なタイプのデータまたは制御信号（すなわち、「データ」または送信）を送信するために使用され得る。通信リンクは、専用無線周波数スペクトル帯域または共有無線周波数スペクトル帯域上で確立され得る。
【００８７】
[0101]いくつかの例では、ワイヤレス通信マネージャ７２０は、装置７０５のためのワイヤレス通信の１つまたは複数の態様を管理するために使用され得る。いくつかの例では、ワイヤレス通信マネージャ７２０の一部は、受信機７１０または送信機７３０に組み込まれるかまたはそれと共有され得る。いくつかの例では、ワイヤレス通信マネージャ７２０は、ワイヤレスリソースマッパ７３５と、フレームフォーマット構成決定器７４０と、構成情報マネージャ７４５とを含み得る。いくつかの例では、通信マネージャ７２０は、オプションのブロックコーディングマネージャ７６５またはオプションのヘッダ／ＣＲＣマネージャ７７０のうちの１つまたは複数をも含み得る。
【００８８】
[0102]ワイヤレスリソースマッパ７３５は、図６のワイヤレスリソースマッパ６３５の一例であり得、ＲＲＣマネージャ７５０をも含み得る。いくつかの例では、ＲＲＣマネージャ７５０は、リソースの第１のサブセットまたはリソースの第２のサブセットのうちの１つを監視するようにＵＥの構成を管理し得る。そのような構成は、ＵＥがリソースの第１のサブセットまたはリソースの第２のサブセットのうちのどちらを監視すべきであるかを示し得るＲＲＣ情報のＵＥへの送信を通して与えられ得る。いくつかの例では、ＲＲＣマネージャは、ＲＲＣシグナリングを介して第１のＵＥグループと第２のＵＥグループとに与えられるべきである、フレームフォーマットパラメータのセットの第１のサブセットとフレームフォーマットパラメータのセットの第２のサブセットとのマッピングを含むＲＲＣ情報を与え得る。
【００８９】
[0103]フレームフォーマット構成決定器７４０は、図６のフレームフォーマット構成決定器６４０の一例であり得、フレームフォーマットパラメータセレクタ７５５をも含み得る。いくつかの例では、フレームフォーマットパラメータセレクタ７５５は、フレームフォーマット構成情報に含まれるべきである様々な異なるフレームフォーマットパラメータを選択し得る。いくつかの例では、フレームフォーマットパラメータセレクタ７５５は、フレームフォーマットパラメータのセットを含み得る第１の構成情報を与え得る。いくつかの例では、フレームフォーマットパラメータセレクタ７５５は、フレームフォーマットパラメータのセットと重複する少なくとも１つのパラメータを含み得、異なるパラメータ値（たとえば、第１のＵＥグループと第２のＵＥグループとについて異なり得る、ダウンリンク送信を監視しないための持続時間）を有し得る、第２の構成情報のためのパラメータを選択し得る。いくつかの例では、フレームフォーマットパラメータセレクタ７５５は、ＭＢＳＦＮサブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することをそれの間停止する持続時間パラメータ、基準信号電力変動パラメータ、非周期的ＣＳＩ−ＲＳ存在パラメータまたはＤＲＳ存在指示および構成、システム情報存在パラメータ、あるいは非監視サブフレームパラメータのうちの１つまたは複数を含み得るフレームフォーマットパラメータのセットからのパラメータを選択し得る。いくつかの例では、第１の構成情報または第２の構成情報は、現在サブフレームと少なくとも１つの後続のサブフレームとのための情報を含み得る。他の例では、第１の構成情報または第２の構成情報は、２つまたはそれ以上のサブフレーム間の電力変動を示すための電力変動情報を含み得る。
【００９０】
[0104]構成情報マネージャ７４５は、図６を参照しながら説明された構成情報マネージャ６４５の一例であり得、フレームフォーマットパラメータ決定器７６０をも含み得る。いくつかの例では、フレームフォーマットパラメータ決定器７６０は、フレームフォーマットパラメータセレクタ７５５によって選択されたパラメータのためのパラメータ値を決定し得る。たとえば、フレームフォーマットパラメータ決定器７６０は、特定のサブフレームの送信の特定の特性に基づいてパラメータ値を決定し得る。いくつかの例では、フレームフォーマットパラメータ決定器７６０は、ＭＢＳＦＮサブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することをそれの間停止する持続時間パラメータ、基準信号電力変動パラメータ、非周期的ＣＳＩ−ＲＳ存在パラメータまたはＤＲＳ存在指示および構成、システム情報存在パラメータ、あるいは非監視サブフレームパラメータのうちの１つまたは複数のための特定の値を含み得る、フレームフォーマットパラメータのセットからのパラメータのためのパラメータ値を与え得る。さらに、そのようなパラメータ値は、パラメータがそれに適用されるべきであるＵＥグループに基づいて異なり得る。
【００９１】
[0105]いくつかの例では、ブロックコーディングマネージャ７６５は、第１の構成情報と第２の構成情報とのためのブロックコーディングを与え得る。いくつかの例では、ブロックコーディングはリードマラー（Reed Muller）ブロックコーディングであり得る。いくつかの例では、ブロックコーディングは、第１の構成情報と第２の構成情報とに別々に適用され得る。
【００９２】
[0106]いくつかの例では、ヘッダ／ＣＲＣマネージャ７７０は、送信されるべき構成情報のためのＣＲＣを算出し得、および／または構成情報の送信に含まれるべきヘッダを決定し得る。いくつかの例では、ヘッダ／ＣＲＣマネージャ７７０は、第１の構成情報のための第１のＣＲＣと第２の構成情報のための第２のＣＲＣとを計算し、第１の構成情報に第１のＣＲＣを付加し、第２の構成情報に第２のＣＲＣを付加し得る。いくつかの例では、ヘッダ／ＣＲＣマネージャ７７０はまた、第１のＵＥグループに割り当てられた第１のＲＮＴＩを用いて第１のＣＲＣをスクランブルし、第２のＵＥグループに割り当てられた第２のＲＮＴＩを用いて第２のＣＲＣをスクランブルし得る。ヘッダ／ＣＲＣマネージャ７７０はまた、いくつかの例では、第１の構成情報または第２の構成情報のサイズを示し、構成情報とともに送信されるべきである、ヘッダを決定し得る。いくつかの例では、ヘッダは、送信された構成情報に含まれるデータのための４つの利用可能なペイロードサイズのうちの１つの指示を与える２ビットヘッダであり得る。
【００９３】
[0107]図８は、本開示の様々な態様による、ワイヤレス通信において使用するための装置８１５のブロック図８００を示す。装置８１５は、図１を参照しながら説明された基地局１０５、図２を参照しながら説明された基地局２０５または図５を参照しながら説明された基地局５０５のうちの１つまたは複数の態様の一例であり得る。装置８１５はまた、プロセッサであるか、またはそれを含み得る。装置８１５は、受信機８１０、ワイヤレス通信マネージャ８２０、または送信機８３０を含み得る。これらの構成要素の各々は、互いと通信していることがある。
【００９４】
[0108]装置８１５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００９５】
[0109]いくつかの例では、受信機８１０は、専用無線周波数スペクトル帯域（たとえば、無線周波数スペクトル帯域が、特定の使用のために特定のユーザに認可されているので、送信装置がアクセスを求めて競合し得ない、無線周波数スペクトル帯域）、または共有無線周波数スペクトル帯域（たとえば、送信装置がアクセスを求めて競合し得る、無線周波数スペクトル帯域（たとえば、Ｗｉ−Ｆｉ使用など、無認可の使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１、図２、図３、図４、または図５を参照しながら説明されたように、ＬＴＥ／ＬＴＥ−Ａ通信のために使用され得る。受信機８１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機（たとえば、専用ＲＦスペクトル帯域のためのＬＴＥ／ＬＴＥ−Ａ受信機８１２）、および共有無線周波数スペクトル帯域上で通信するためのＬＴＥ／ＬＴＥ−Ａ受信機（たとえば、共有ＲＦスペクトル帯域のためのＬＴＥ／ＬＴＥ−Ａ受信機８１４）の形態をとり得る。専用ＲＦスペクトル帯域のためのＬＴＥ／ＬＴＥ−Ａ受信機８１２または共有ＲＦスペクトル帯域のためのＬＴＥ／ＬＴＥ−Ａ受信機８１４を含む受信機８１０は、図１を参照しながら説明されたワイヤレス通信システム１００または図２を参照しながら説明されたワイヤレス通信システム２００の１つまたは複数の通信リンクなど、ワイヤレス通信システムの１つまたは複数の通信リンク上で様々なタイプのデータまたは制御信号（すなわち、「データ」または送信）を受信するために使用され得る。通信リンクは、専用無線周波数スペクトル帯域または共有無線周波数スペクトル帯域上で確立され得る。
【００９６】
[0110]いくつかの例では、送信機８３０は、専用無線周波数スペクトル帯域または共有無線周波数スペクトル帯域上で送信するように動作可能な少なくとも１つのＲＦ送信機など、少なくとも１つのＲＦ送信機を含み得る。送信機８３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機（たとえば、専用ＲＦスペクトル帯域のためのＬＴＥ／ＬＴＥ−Ａ送信機８３２）、および共有無線周波数スペクトル帯域上で通信するためのＬＴＥ／ＬＴＥ−Ａ送信機（たとえば、共有ＲＦスペクトル帯域のためのＬＴＥ／ＬＴＥ−Ａ送信機８３４）の形態をとり得る。専用ＲＦスペクトル帯域のためのＬＴＥ／ＬＴＥ−Ａ送信機８３２または共有ＲＦスペクトル帯域のためのＬＴＥ／ＬＴＥ−Ａ送信機８３４を含む送信機８３０は、図１を参照しながら説明されたワイヤレス通信システム１００または図２を参照しながら説明されたワイヤレス通信システム２００の１つまたは複数の通信リンクなど、ワイヤレス通信システムの１つまたは複数の通信リンク上で様々なタイプのデータまたは制御信号（すなわち、「データ」または送信）を送信するために使用され得る。通信リンクは、専用無線周波数スペクトル帯域または共有無線周波数スペクトル帯域上で確立され得る。
【００９７】
[0111]いくつかの例では、ワイヤレス通信マネージャ８２０は、装置８１５のためのワイヤレス通信の１つまたは複数の態様を管理するために使用され得る。いくつかの例では、ワイヤレス通信マネージャ８２０の一部は、受信機８１０または送信機８３０に組み込まれるかまたはそれと共有され得る。いくつかの例では、ワイヤレス通信マネージャ８２０は、構成マネージャ８３５、チャネルモニタ８４０またはフレームフォーマットマネージャ８４５を含み得る。
【００９８】
[0112]構成マネージャ８３５は、１つまたは複数のサブフレームのためのフレームフォーマット情報を含んでいるチャネルのワイヤレスリソースのセットのサブセットを識別する構成情報を決定するために使用され得、フレームフォーマット情報は、共有無線周波数スペクトル帯域を使用するワイヤレス通信のための１つまたは複数のパラメータを備える。いくつかの例では、構成情報は、基地局からＲＲＣシグナリングを通して受信され得る。チャネルモニタ８４０は、ワイヤレスリソースの識別されたサブセットを監視するために使用され得る。ワイヤレスリソースの識別されたサブセットは、たとえば、ＰＨＩＣＨ、ＰＣＦＩＣＨ、またはＰＤＣＣＨのリソースなど、物理レイヤチャネルのリソースを含み得る。いくつかの例では、フレームフォーマット情報の第１の部分がＰＨＩＣＨ上で受信され得、フレームフォーマット情報の第２の部分がＰＣＦＩＣＨまたはＰＤＣＣＨ上で受信され得る。もちろん、物理レイヤチャネルの他の組合せもそのような送信のために使用され得る。
【００９９】
[0113]フレームフォーマットマネージャ８４５は、ワイヤレスリソースのサブセット上で受信されるフレームフォーマット情報を決定するために使用され得る。いくつかの例では、フレームフォーマット情報は、ＭＢＳＦＮサブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することをそれの間停止する持続時間パラメータ、基準信号電力変動パラメータ、非周期的ＣＳＩ−ＲＳ存在パラメータまたはＤＲＳ存在指示および構成、システム情報存在パラメータ、あるいは非監視サブフレームパラメータのうちの１つまたは複数など、１つまたは複数の物理レイヤパラメータを含み得る。装置８１５によって受信された特定のパラメータは、たとえば、監視されたリソースを特定のフレームフォーマットパラメータにマッピングする、構成マネージャにおいて受信され得るマッピングによって識別され得る。
【０１００】
[0114]図９は、本開示の様々な態様による、ワイヤレス通信において使用するための装置９１５のブロック図９００を示す。装置９１５は、図１を参照しながら説明されたＵＥ１１５、図２を参照しながら説明されたＵＥ２１５または図５を参照しながら説明されたＵＥ５１５のうちの１つまたは複数の態様、あるいは図８を参照しながら説明された装置８１５の態様の一例であり得る。装置９１５はまた、プロセッサであるか、またはそれを含み得る。装置９１５は、受信機９１０、ワイヤレス通信マネージャ９２０、または送信機９３０を含み得る。これらの構成要素の各々は、互いと通信していることがある。
【０１０１】
[0115]装置９１５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１０２】
[0116]いくつかの例では、受信機９１０は、専用無線周波数スペクトル帯域（たとえば、無線周波数スペクトル帯域が、特定の使用のために特定のユーザに認可されているので、送信装置がアクセスを求めて競合し得ない、無線周波数スペクトル帯域）、または共有無線周波数スペクトル帯域（たとえば、送信装置がアクセスを求めて競合し得る、無線周波数スペクトル帯域（たとえば、Ｗｉ−Ｆｉ使用など、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１、図２、図３、図４、または図５を参照しながら説明されたように、ＬＴＥ／ＬＴＥ−Ａ通信のために使用され得る。受信機９１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機（たとえば、専用ＲＦスペクトル帯域のためのＬＴＥ／ＬＴＥ−Ａ受信機９１２）、および共有無線周波数スペクトル帯域上で通信するためのＬＴＥ／ＬＴＥ−Ａ受信機（たとえば、共有ＲＦスペクトル帯域のためのＬＴＥ／ＬＴＥ−Ａ受信機９１４）の形態をとり得る。専用ＲＦスペクトル帯域のためのＬＴＥ／ＬＴＥ−Ａ受信機９１２または共有ＲＦスペクトル帯域のためのＬＴＥ／ＬＴＥ−Ａ受信機９１４を含む受信機９１０は、図１を参照しながら説明されたワイヤレス通信システム１００または図２を参照しながら説明されたワイヤレス通信システム２００の１つまたは複数の通信リンクなど、ワイヤレス通信システムの１つまたは複数の通信リンク上で様々なタイプのデータまたは制御信号（すなわち、「データ」または送信）を受信するために使用され得る。通信リンクは、専用無線周波数スペクトル帯域または共有無線周波数スペクトル帯域上で確立され得る。
【０１０３】
[0117]いくつかの例では、送信機９３０は、専用無線周波数スペクトル帯域または共有無線周波数スペクトル帯域上で送信するように動作可能な少なくとも１つのＲＦ送信機など、少なくとも１つのＲＦ送信機を含み得る。送信機９３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機（たとえば、専用ＲＦスペクトル帯域のためのＬＴＥ／ＬＴＥ−Ａ送信機９３２）、および共有無線周波数スペクトル帯域上で通信するためのＬＴＥ／ＬＴＥ−Ａ送信機（たとえば、共有ＲＦスペクトル帯域のためのＬＴＥ／ＬＴＥ−Ａ送信機９３４）の形態をとり得る。専用ＲＦスペクトル帯域のためのＬＴＥ／ＬＴＥ−Ａ送信機９３２または共有ＲＦスペクトル帯域のためのＬＴＥ／ＬＴＥ−Ａ送信機９３４を含む送信機９３０は、図１を参照しながら説明されたワイヤレス通信システム１００または図２を参照しながら説明されたワイヤレス通信システム２００の１つまたは複数の通信リンクなど、ワイヤレス通信システムの１つまたは複数の通信リンク上で様々なタイプのデータまたは制御信号（すなわち、「データ」または送信）を送信するために使用され得る。通信リンクは、専用無線周波数スペクトル帯域または共有無線周波数スペクトル帯域上で確立され得る。
【０１０４】
[0118]いくつかの例では、ワイヤレス通信マネージャ９２０は、装置９１５のためのワイヤレス通信の１つまたは複数の態様を管理するために使用され得る。いくつかの例では、ワイヤレス通信マネージャ９２０の一部は、受信機９１０または送信機９３０に組み込まれるかまたはそれと共有され得る。いくつかの例では、ワイヤレス通信マネージャ９２０は、構成マネージャ９３５、チャネルモニタ９４０またはフレームフォーマットマネージャ９４５を含み得る。ワイヤレス通信マネージャ９２０は、いくつかの例では、オプションの起動（wake）タイマー９６０またはオプションのヘッダ／ＣＲＣマネージャ９６５をも含み得る。
【０１０５】
[0119]構成マネージャ９３５は、図８の構成マネージャ８３５の一例であり得、ＲＲＣマネージャ９５０をも含み得る。いくつかの例では、ＲＲＣマネージャ９５０は、フレームフォーマット情報について監視すべき物理チャネルリソースを示す構成情報を含み得るＲＲＣ構成情報を受信し得る。いくつかの例では、ＲＲＣマネージャは、監視されたリソース中で与えられるべきであるフレームフォーマットパラメータのマッピングを含むかまたはそれを与えられ得る。
【０１０６】
[0120]チャネルモニタ９４０は、図８のチャネルモニタ８４０の一例であり得、チャネルリソース決定器９５５をも含み得る。いくつかの例では、チャネルリソース決定器９５５は、ＲＲＣマネージャ９５０からフレームフォーマットパラメータのマッピングを受信し、チャネルモニタ９４０によって監視されるべきである特定の物理チャネルリソースを決定し得る。たとえば、チャネルリソース決定器９５５は、１つまたは複数のＰＨＩＣＨ、ＰＣＦＩＣＨ、またはＰＤＣＣＨリソース、あるいはそれらの組合せが、チャネルモニタ９４０によって監視されるべきであると決定し得る。フレームフォーマットマネージャ９４５は、図８のフレームフォーマットマネージャ８４５の一例であり得、同様の機能を実行し得る。オプションの起動タイマー９６０は、いくつかの例では、装置９１５がダウンリンク送信をそれの間監視すべきでない持続時間を受信し、装置９１５が持続時間に続いてダウンリンク送信を監視するために起動すべきであるときに指示を与え得る。オプションのヘッダ／ＣＲＣマネージャ９６５は、ヘッダ情報またはＣＲＣ情報の一方または両方を受信し得る。ヘッダ情報は、上記で説明されたように、フレームフォーマット情報のペイロード中のデータの量に関する情報を含み得る。ＣＲＣ情報は、データの信頼できる受信を確認するためにヘッダ／ＣＲＣマネージャ９６５によって使用され得、受信データの信頼性を改善し得る、ＣＲＣ値を含み得る。
【０１０７】
[0121]図１０は、本開示の様々な態様による、ワイヤレス通信において使用するための基地局１００５（たとえば、ｅＮＢの一部または全部を形成する基地局）のブロック図１０００を示す。いくつかの例では、基地局１００５は、図１を参照しながら説明された基地局１０５、図２を参照しながら説明された基地局２０５または図５を参照しながら説明された基地局５０５の１つまたは複数の態様、あるいは図６を参照しながら説明された装置６０５または図７を参照しながら説明された装置７０５のうちの１つまたは複数の態様の一例であり得る。基地局１００５は、図１、図２、図３、図４、図５、図６、または図７を参照しながら説明された基地局の技法および機能のうちの少なくともいくつかを実装するかまたは可能にするように構成され得る。
【０１０８】
[0122]基地局１００５は、基地局プロセッサ１０１０、基地局メモリ１０２０、（（１つまたは複数の）基地局トランシーバ１０５０によって表される）少なくとも１つの基地局トランシーバ、（（１つまたは複数の）基地局アンテナ１０５５によって表される）少なくとも１つの基地局アンテナ、または基地局ワイヤレス通信マネージャ１０６０を含み得る。基地局１００５はまた、基地局コミュニケータ１０３０またはネットワークコミュニケータ１０４０のうちの１つまたは複数を含み得る。これらの構成要素の各々は、１つまたは複数のバス１０３５上で、直接または間接的に、互いと通信していることがある。
【０１０９】
[0123]基地局メモリ１０２０は、ランダムアクセスメモリ（ＲＡＭ）または読取り専用メモリ（ＲＯＭ）を含み得る。基地局メモリ１０２０は、実行されたとき、たとえば、基地局１００５によってサービスされ得る複数のＵＥグループのための共有無線周波数スペクトル帯域または専用無線周波数スペクトル帯域中での物理レイヤパラメータのシグナリングを含む、ワイヤレス通信に関係する本明細書で説明される様々な機能を基地局プロセッサ１０１０に実行させるように構成された命令を含んでいるコンピュータ可読、コンピュータ実行可能コード１０２５を記憶し得る。代替的に、コンピュータ実行可能コード１０２５は、基地局プロセッサ１０１０によって直接的に実行可能ではないが、（たとえば、コンパイルされ、実行されたとき）本明細書で説明される機能のうちのいくつかを基地局１００５に実行させるように構成され得る。
【０１１０】
[0124]基地局プロセッサ１０１０は、インテリジェントハードウェアデバイス、たとえば、中央処理ユニット（ＣＰＵ）、マイクロコントローラ、ＡＳＩＣなどを含み得る。基地局プロセッサ１０１０は、（１つまたは複数の）基地局トランシーバ１０５０、基地局コミュニケータ１０３０、またはネットワークコミュニケータ１０４０を通して受信された情報を処理し得る。基地局プロセッサ１０１０はまた、（１つまたは複数の）アンテナ１０５５を通した送信のために（１つまたは複数の）トランシーバ１０５０に送られるべき情報、１つまたは複数の他の基地局（たとえば、基地局Ａ１００５−ａおよび基地局Ｂ１００５−ｂ）への送信のために基地局コミュニケータ１０３０に送られるべき情報、または図１を参照しながら説明されたコアネットワーク１３０の１つまたは複数の態様の一例であり得る、コアネットワーク１０４５への送信のためにネットワークコミュニケータ１０４０に送られるべき情報を処理し得る。基地局プロセッサ１０１０は、単独で、または、基地局ワイヤレス通信マネージャ１０６０とともに、専用無線周波数スペクトル帯域または共有無線周波数スペクトル帯域上で通信すること（またはそれの上での通信を管理すること）の様々な態様を扱い得る。専用無線周波数スペクトル帯域は、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。
【０１１１】
[0125]（１つまたは複数の）基地局トランシーバ１０５０は、パケットを変調し、変調されたパケットを送信のために（１つまたは複数の）基地局アンテナ１０５５に与え、（１つまたは複数の）基地局アンテナ１０５５から受信されたパケットを復調するように構成されたモデムを含み得る。（１つまたは複数の）基地局トランシーバ１０５０は、いくつかの例では、１つまたは複数の基地局送信機および１つまたは複数の別個の基地局受信機として実装され得る。（１つまたは複数の）基地局トランシーバ１０５０は、専用無線周波数スペクトル帯域または共有無線周波数スペクトル帯域中の通信をサポートし得る。（１つまたは複数の）基地局トランシーバ１０５０は、（１つまたは複数の）アンテナ１０５５を介して、図１を参照しながら説明されたＵＥ１１５、図２を参照しながら説明されたＵＥ２１５または図５を参照しながら説明されたＵＥ５１５、あるいは図８を参照しながら説明された装置８１５または図９を参照しながら説明された装置９１５のうちの１つまたは複数など、１つまたは複数のＵＥまたは装置と双方向に通信するように構成され得る。基地局１００５は、たとえば、複数の基地局アンテナ１０５５（たとえば、アンテナアレイ）を含み得る。基地局１００５は、ネットワークコミュニケータ１０４０を通してコアネットワーク１０４５と通信し得る。基地局１００５はまた、基地局コミュニケータ１０３０を使用して、基地局Ａ１００５−ａおよび基地局Ｂ１００５−ｂなど、他の基地局と通信し得る。
【０１１２】
[0126]基地局ワイヤレス通信マネージャ１０６０は、専用無線周波数スペクトル帯域または共有無線周波数スペクトル帯域上でのワイヤレス通信に関係する図１、図２、図３、図４、図５、図６、または図７を参照しながら説明された技法または機能の一部または全部を実行または制御するように構成され得る。たとえば、基地局ワイヤレス通信マネージャ１０６０は、異なるＵＥグループに割り振られた物理チャネルリソースを使用して、共有無線周波数スペクトル帯域または専用無線周波数スペクトル帯域中で物理レイヤパラメータのシグナリングを与えるように構成され得る。基地局ワイヤレス通信マネージャ１０６０は、専用無線周波数スペクトル帯域中でのＬＴＥ／ＬＴＥ−Ａ通信を扱うように構成された、専用ＲＦスペクトル帯域のための基地局ＬＴＥ／ＬＴＥ−Ａ構成要素１０６５と、共有無線周波数スペクトル帯域中でのＬＴＥ／ＬＴＥ−Ａ通信を扱うように構成された、共有ＲＦスペクトル帯域のための基地局ＬＴＥ／ＬＴＥ−Ａ構成要素１０７０とを含み得る。基地局ワイヤレス通信マネージャ１０６０、またはそれの部分はプロセッサを含み得、あるいは基地局ワイヤレス通信マネージャ１０６０の機能の一部または全部は、基地局プロセッサ１０１０によって実行されるか、または基地局プロセッサ１０１０とともに実行され得る。いくつかの例では、基地局ワイヤレス通信マネージャ１０６０は、図６を参照しながら説明されたワイヤレス通信マネージャ６２０または図７を参照しながら説明されたワイヤレス通信マネージャ７２０の一例であり得る。
【０１１３】
[0127]図１１は、本開示の様々な態様による、ワイヤレス通信において使用するためのＵＥ１１１５のブロック図１１００を示す。ＵＥ１１１５は、パーソナルコンピュータ（たとえば、ラップトップコンピュータ、ネットブックコンピュータ、タブレットコンピュータなど）、セルラー電話、ＰＤＡ、ＤＶＲ、インターネット機器、ゲームコンソール、電子リーダーなど含まれるかまたはそれらの一部であり得る。ＵＥ１１１５は、いくつかの例では、モバイル動作を可能にするために、小型バッテリーなどの内部電源（図示せず）を有し得る。いくつかの例では、ＵＥ１１１５は、図１を参照しながら説明されたＵＥ１１５、図２を参照しながら説明されたＵＥ２１５または図５を参照しながら説明されたＵＥ５１５のうちの１つまたは複数の態様、あるいは図８を参照しながら説明された装置８１５または図９を参照しながら説明された装置９１５の態様の一例であり得る。ＵＥ１１１５は、図１、図２、図３、図４、図５、図８、または図９を参照しながら説明されたＵＥまたは装置の技法および機能のうちの少なくともいくつかを実装するように構成され得る。
【０１１４】
[0128]ＵＥ１１１５は、ＵＥプロセッサ１１１０、ＵＥメモリ１１２０、（（１つまたは複数の）ＵＥトランシーバ１１３０によって表される）少なくとも１つのＵＥトランシーバ、（（１つまたは複数の）ＵＥアンテナ１１４０によって表される）少なくとも１つのＵＥアンテナ、またはＵＥワイヤレス通信マネージャ１１５０を含み得る。これらの構成要素の各々は、１つまたは複数のバス１１３５上で、直接または間接的に、互いと通信していることがある。
【０１１５】
[0129]ＵＥメモリ１１２０はＲＡＭまたはＲＯＭを含み得る。ＵＥメモリ１１２０は、実行されたとき、たとえば、様々なサブフレーム送信の物理パラメータについて物理チャネルリソースを監視するための構成情報を受信することを含む、ワイヤレス通信に関係する本明細書で説明される様々な機能をＵＥプロセッサ１１１０に実行させるように構成された命令を含んでいるコンピュータ可読、コンピュータ実行可能コード１１２５を記憶し得る。代替的に、コンピュータ実行可能コード１１２５は、ＵＥプロセッサ１１１０によって直接的に実行可能ではないが、（たとえば、コンパイルされ、実行されたとき）本明細書で説明される機能のうちのいくつかをＵＥ１１１５に実行させるように構成され得る。
【０１１６】
[0130]ＵＥプロセッサ１１１０は、インテリジェントハードウェアデバイス、たとえば、ＣＰＵ、マイクロコントローラ、ＡＳＩＣなどを含み得る。ＵＥプロセッサ１１１０は、（１つまたは複数の）ＵＥトランシーバ１１３０を通して受信された情報、または（１つまたは複数の）ＵＥアンテナ１１４０を通した送信のために（１つまたは複数の）ＵＥトランシーバ１１３０に送られるべき情報を処理し得る。ＵＥプロセッサ１１１０は、単独で、または、ＵＥワイヤレス通信マネージャ１１５０とともに、専用無線周波数スペクトル帯域または共有無線周波数スペクトル帯域上で通信すること（またはそれの上での通信を管理すること）の様々な態様を扱い得る。専用無線周波数スペクトル帯域は、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。
【０１１７】
[0131]（１つまたは複数の）ＵＥトランシーバ１１３０は、パケットを変調し、変調されたパケットを送信のために（１つまたは複数の）ＵＥアンテナ１１４０に与え、（１つまたは複数の）ＵＥアンテナ１１４０から受信されたパケットを復調するように構成されたモデムを含み得る。（１つまたは複数の）ＵＥトランシーバ１１３０は、いくつかの例では、１つまたは複数のＵＥ送信機および１つまたは複数の別個のＵＥ受信機として実装され得る。（１つまたは複数の）ＵＥトランシーバ１１３０は、専用無線周波数スペクトル帯域または共有無線周波数スペクトル帯域中の通信をサポートし得る。（１つまたは複数の）ＵＥトランシーバ１１３０は、（１つまたは複数の）ＵＥアンテナ１１４０を介して、図１を参照しながら説明された基地局１０５、図２を参照しながら説明された基地局２０５、図５を参照しながら説明された基地局５０５または図１０を参照しながら説明された基地局１００５のうちの１つまたは複数、あるいは図６を参照しながら説明された装置６０５または図７を参照しながら説明された装置７０５のうちの１つまたは複数の態様と双方向に通信するように構成され得る。ＵＥ１１１５は単一のＵＥアンテナを含み得るが、ＵＥ１１１５が複数のＵＥアンテナ１１４０を含み得る例があり得る。
【０１１８】
[0132]ＵＥワイヤレス通信マネージャ１１５０は、専用無線周波数スペクトル帯域または共有無線周波数スペクトル帯域上でのワイヤレス通信に関係する図１、図２、図３、図４、図５、図８、または図９を参照しながら説明されたＵＥまたは装置の技法または機能の一部または全部を実行または制御するように構成され得る。たとえば、ＵＥワイヤレス通信マネージャ１１５０は、専用無線周波数スペクトル帯域または共有無線周波数スペクトル帯域を使用して、監視すべき物理チャネルリソース上で構成情報を受信し、フレームフォーマット情報について構成されたリソースを監視するように構成され得る。ＵＥワイヤレス通信マネージャ１１５０は、専用無線周波数スペクトル帯域中のＬＴＥ／ＬＴＥ−Ａ通信を扱うように構成された、専用ＲＦスペクトル帯域のためのＵＥ  ＬＴＥ／ＬＴＥ−Ａ構成要素１１５５と、共有無線周波数スペクトル帯域中のＬＴＥ／ＬＴＥ−Ａ通信を扱うように構成された、共有ＲＦスペクトル帯域のためのＵＥ  ＬＴＥ／ＬＴＥ−Ａ構成要素１１６０とを含み得る。ＵＥワイヤレス通信マネージャ１１５０、またはそれの部分はプロセッサを含み得、あるいはＵＥワイヤレス通信マネージャ１１５０の機能の一部または全部は、ＵＥプロセッサ１１１０によって実行されるか、またはＵＥプロセッサ１１１０とともに実行され得る。いくつかの例では、ＵＥワイヤレス通信マネージャ１１５０は、図８を参照しながら説明されたワイヤレス通信マネージャ８２０または図９を参照しながら説明されたワイヤレス通信マネージャ９２０の一例であり得る。
【０１１９】
[0133]図１２は、本開示の様々な態様による、ワイヤレス通信のための方法１２００の一例を示すフローチャートである。明快のために、方法１２００は、図１を参照しながら説明された基地局１０５、図２を参照しながら説明された基地局２０５、図５を参照しながら説明された基地局５０５または図１０を参照しながら説明された基地局１００５のうちの１つまたは複数の態様、あるいは図６を参照しながら説明された装置６０５または図７を参照しながら説明された装置７０５のうちの１つまたは複数の態様に関して以下で説明される。いくつかの例では、（いくつかの例では、図１、図２、図５、図６、図７、または図１０を参照しながら説明された基地局または装置の態様を含み得る）ワイヤレスデバイスが、以下で説明される機能を実施するようにワイヤレスデバイスの機能要素を制御するためのコードの１つまたは複数のセットを実行し得る。追加または代替として、ワイヤレスデバイスは、専用ハードウェアを使用して、以下で説明される機能のうちの１つまたは複数を実行し得る。
【０１２０】
[0134]ブロック１２０５において、方法１２００は、第１のユーザ機器（ＵＥ）グループに第１の構成情報をシグナリングするためのチャネルのワイヤレスリソースの第１のサブセットを識別することを含み得る。ブロック１２０５における（１つまたは複数の）動作は、図６を参照しながら説明されたワイヤレス通信マネージャ６２０、図７を参照しながら説明されたワイヤレス通信マネージャ７２０、図１０を参照しながら説明された基地局ワイヤレス通信マネージャ１０６０、あるいは図６を参照しながら説明されたワイヤレスリソースマッパ６３５または図７を参照しながら説明されたワイヤレスリソースマッパ７３５を使用して実行され得る。
【０１２１】
[0135]ブロック１２１０において、方法１２００は、第２のＵＥグループに第２の構成情報をシグナリングするためのチャネルのワイヤレスリソースの第２のサブセットを識別することを含み得、第１の構成情報および第２の構成情報は、共有無線周波数スペクトル帯域を使用するワイヤレス通信のための１つまたは複数のパラメータを含む。ブロック１２１０における（１つまたは複数の）動作は、図６を参照しながら説明されたワイヤレス通信マネージャ６２０、図７を参照しながら説明されたワイヤレス通信マネージャ７２０、図１０を参照しながら説明された基地局ワイヤレス通信マネージャ１０６０、あるいは図６を参照しながら説明されたワイヤレスリソースマッパ６３５または図７を参照しながら説明されたワイヤレスリソースマッパ７３５を使用して実行され得る。
【０１２２】
[0136]ブロック１２１５において、方法１２００は、リソースの第１のサブセットまたはリソースの第２のサブセットのうちの１つを監視するようにＵＥを構成することをオプションで含み得る。ブロック１２１５における（１つまたは複数の）動作は、図６を参照しながら説明されたワイヤレス通信マネージャ６２０、図７を参照しながら説明されたワイヤレス通信マネージャ７２０、図１０を参照しながら説明された基地局ワイヤレス通信マネージャ１０６０、または図９を参照しながら説明されたＲＲＣマネージャ９５０を使用して実行され得る。
【０１２３】
[0137]ブロック１２２０において、方法１２００は、ワイヤレスリソースの第１のサブセットを使用して第１の構成情報を送信し、ワイヤレスリソースの第２のサブセットを使用して第２の構成情報を送信することを含み得る。ブロック１２２０における（１つまたは複数の）動作は、図６を参照しながら説明されたワイヤレス通信マネージャ６２０、または図７を参照しながら説明されたワイヤレス通信マネージャ７２０、または図６、図７、または図１０を参照しながら説明された基地局ワイヤレス通信マネージャ１０６０、または図６を参照しながら説明されたワイヤレスリソースマッパ６３５または図７を参照しながら説明されたワイヤレスリソースマッパ７３５を使用して実行され得る。
【０１２４】
[0138]ブロック１２２５において、方法１２００は、識別された構成パラメータに従ってサブフレームを送信することをオプションで含み得る。ブロック１２２５における（１つまたは複数の）動作は、図６を参照しながら説明されたワイヤレス通信マネージャ６２０、図７を参照しながら説明されたワイヤレス通信マネージャ７２０、図１０を参照しながら説明された基地局ワイヤレス通信マネージャ１０６０、図６を参照しながら説明された送信機６３０、図７を参照しながら説明された送信機７３０、あるいは図１０を参照しながら説明された（１つまたは複数の）基地局トランシーバ１０５０および（１つまたは複数の）基地局アンテナ１０５５を使用して実行され得る。
【０１２５】
[0139]したがって、方法１２００はワイヤレス通信を提供し得る。方法１２００は一実装形態にすぎないこと、および方法１２００の動作は、他の実装形態が可能であるように、並べ替えられるかまたは場合によっては変更され得ることに留意されたい。
【０１２６】
[0140]図１３は、本開示の様々な態様による、ワイヤレス通信のための方法１３００の一例を示すフローチャートである。明快のために、方法１３００は、図１を参照しながら説明された基地局１０５、図２を参照しながら説明された基地局２０５、図５を参照しながら説明された基地局５０５または図１０を参照しながら説明された基地局１００５のうちの１つまたは複数の態様、あるいは図６を参照しながら説明された装置６０５または図７を参照しながら説明された装置７０５のうちの１つまたは複数の態様に関して以下で説明される。いくつかの例では、（いくつかの例では、図１、図２、図５、図６、図７、または図１０を参照しながら説明された基地局または装置の態様を含み得る）ワイヤレスデバイスが、以下で説明される機能を実施するようにワイヤレスデバイスの機能要素を制御するためのコードの１つまたは複数のセットを実行し得る。追加または代替として、ワイヤレスデバイスは、専用ハードウェアを使用して、以下で説明される機能のうちの１つまたは複数を実行し得る。
【０１２７】
[0141]ブロック１３０５において、方法１３００は、送信されるべき構成情報の長さを決定することを含み得る。構成情報は、たとえば、上記で説明されたフレームフォーマットパラメータを含み得、構成情報の長さは、送信されるべき特定のパラメータに基づいて決定され得る。ブロック１３０５における（１つまたは複数の）動作は、図６を参照しながら説明されたワイヤレス通信マネージャ６２０、図７を参照しながら説明されたワイヤレス通信マネージャ７２０、図１０を参照しながら説明された基地局ワイヤレス通信マネージャ１０６０、または図７を参照しながら説明されたヘッダ／ＣＲＣマネージャ７７０を使用して実行され得る。
【０１２８】
[0142]ブロック１３１０において、方法１３００は、決定された長さに少なくとも部分的に基づいてヘッダを構成することを含み得る。いくつかの例では、ヘッダは、２ビットヘッダであり得、構成情報の４つの利用可能な長さに基づく値を有するように構成され得る。ブロック１３１０における（１つまたは複数の）動作は、図６を参照しながら説明されたワイヤレス通信マネージャ６２０、図７を参照しながら説明されたワイヤレス通信マネージャ７２０、図１０を参照しながら説明された基地局ワイヤレス通信マネージャ１０６０、または図７を参照しながら説明されたヘッダ／ＣＲＣマネージャ７７０を使用して実行され得る。
【０１２９】
[0143]ブロック１３１５において、方法１３００は、構成情報のブロックコーディングを含み得る。そのようなブロックコーディングは、たとえば、リードマラー（Reed muller）コーディングを使用して実行され得る。ブロック１３１５における（１つまたは複数の）動作は、図６を参照しながら説明されたワイヤレス通信マネージャ６２０、図７を参照しながら説明されたワイヤレス通信マネージャ７２０、図１０を参照しながら説明された基地局ワイヤレス通信マネージャ１０６０、または図７を参照しながら説明されたブロックコーディングマネージャ７６５を使用して実行され得る。
【０１３０】
[0144]ブロック１３２０において、方法１３００は、ヘッダまたは構成情報に基づいてＣＲＣを計算することを含み得る。そのようなＣＲＣ計算は、たとえば、フレームフォーマットパラメータのシグナリングの増加信頼性において使用され得る４ビットＣＲＣを計算することを含み得る。ブロック１３２０における（１つまたは複数の）動作は、図６を参照しながら説明されたワイヤレス通信マネージャ６２０、図７を参照しながら説明されたワイヤレス通信マネージャ７２０、図１０を参照しながら説明された基地局ワイヤレス通信マネージャ１０６０、または図７を参照しながら説明されたヘッダ／ＣＲＣマネージャ７７０を使用して実行され得る。
【０１３１】
[0145]ブロック１３２５または１３３０において、方法１３００は、ヘッダ、構成情報、およびＣＲＣを送信することを含み得る。ブロック１３２５における（１つまたは複数の）動作は、図６を参照しながら説明されたワイヤレス通信マネージャ６２０、図７を参照しながら説明されたワイヤレス通信マネージャ７２０、図１０を参照しながら説明された基地局ワイヤレス通信マネージャ１０６０、図６を参照しながら説明された送信機６３０、図７を参照しながら説明された送信機７３０、あるいは図１０を参照しながら説明された（１つまたは複数の）基地局トランシーバ１０５０および（１つまたは複数の）基地局アンテナ１０５５を使用して実行され得る。
【０１３２】
[0146]したがって、方法１３００はワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１３３】
[0147]図１４は、本開示の様々な態様による、ワイヤレス通信のための方法１４００の一例を示すフローチャートである。明快のために、方法１３００は、図１を参照しながら説明されたＵＥ１１５、図２を参照しながら説明されたＵＥ２１５、図５を参照しながら説明されたＵＥ５１５または図１１を参照しながら説明されたＵＥ１１１５のうちの１つまたは複数の態様、あるいは図８を参照しながら説明された装置８１５または図９を参照しながら説明された装置９１５のうちの１つまたは複数の態様に関して以下で説明される。いくつかの例では、（いくつかの例では、図１、図２、図５、図８、図９、または図１１を参照しながら説明されたＵＥまたは装置の態様を含み得る）ワイヤレスデバイスが、以下で説明される機能を実施するようにワイヤレスデバイスの機能要素を制御するためのコードの１つまたは複数のセットを実行し得る。追加または代替として、ワイヤレスデバイスは、専用ハードウェアを使用して、以下で説明される機能のうちの１つまたは複数を実行し得る。
【０１３４】
[0148]ブロック１４０５において、方法１４００は、１つまたは複数のサブフレームのためのフレームフォーマット情報を含んでいるチャネルのワイヤレスリソースのセットのサブセットを識別する構成情報を受信することを含み得、フレームフォーマット情報は、共有無線周波数スペクトル帯域を使用するワイヤレス通信のための１つまたは複数のパラメータを備える。ブロック１４０５における（１つまたは複数の）動作は、図８を参照しながら説明されたワイヤレス通信マネージャ８２０または図９を参照しながら説明されたワイヤレス通信マネージャ９２０、図１１を参照しながら説明されたＵＥワイヤレス通信マネージャ１１５０、図８を参照しながら説明された構成マネージャ８３５または図９を参照しながら説明された構成マネージャ９３５を使用して実行され得る。
【０１３５】
[0149]ブロック１４１０において、方法１４００は、ワイヤレスリソースのサブセットを監視することを含み得る。ブロック１４１０における（１つまたは複数の）動作は、図８を参照しながら説明されたワイヤレス通信マネージャ８２０または図９を参照しながら説明されたワイヤレス通信マネージャ９２０、図１１を参照しながら説明されたＵＥワイヤレス通信マネージャ１１５０、図８を参照しながら説明されたチャネルモニタ８４０または図９を参照しながら説明されたチャネルモニタ９４０を使用して実行され得る。
【０１３６】
[0150]ブロック１４１５において、方法１４００は、ワイヤレスリソースのサブセット上でフレームフォーマット情報を受信することを含み得る。ブロック１４１５における（１つまたは複数の）動作は、図８を参照しながら説明されたワイヤレス通信マネージャ８２０または図９を参照しながら説明されたワイヤレス通信マネージャ９２０、図１１を参照しながら説明されたＵＥワイヤレス通信マネージャ１１５０、図８を参照しながら説明されたフレームフォーマットマネージャ８４５または図９を参照しながら説明されたフレームフォーマットマネージャ９４５を使用して実行され得る。
【０１３７】
[0151]ブロック１４２０において、方法１４００は、フレームフォーマット情報に少なくとも部分的に基づいてサブフレームのためのフレームフォーマットを決定することをオプションで含み得る。ブロック１４２０における（１つまたは複数の）動作は、図８を参照しながら説明されたワイヤレス通信マネージャ８２０または図９を参照しながら説明されたワイヤレス通信マネージャ９２０、図１１を参照しながら説明されたＵＥワイヤレス通信マネージャ１１５０、図８を参照しながら説明されたフレームフォーマットマネージャ８４５または図９を参照しながら説明されたフレームフォーマットマネージャ９４５を使用して実行され得る。
【０１３８】
[0152]ブロック１４２５において、方法１４００は、決定されたフレームフォーマットに従ってサブフレームを受信することをオプションで含み得る。ブロック１４２５における（１つまたは複数の）動作は、図８を参照しながら説明されたワイヤレス通信マネージャ８２０または図９を参照しながら説明されたワイヤレス通信マネージャ９２０、図１１を参照しながら説明されたＵＥワイヤレス通信マネージャ１１５０、図８を参照しながら説明されたフレームフォーマットマネージャ８４５または図９を参照しながら説明されたフレームフォーマットマネージャ９４５、オプションで、図９を参照しながら説明されたヘッダ／ＣＲＣマネージャ９６５、図８を参照しながら説明された受信機８１０または図９を参照しながら説明された受信機９１０、あるいは図１１を参照しながら説明された（１つまたは複数の）ＵＥトランシーバ１１３０および（１つまたは複数の）ＵＥアンテナ１１４０を使用して実行され得る。
【０１３９】
[0153]したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１４０】
[0154]いくつかの例では、図１２を参照しながら説明された方法１２００、図１３を参照しながら説明された方法１３００、または図１４を参照しながら説明された方法１４００の態様が、組み合わせられ得る。
【０１４１】
[0155]本明細書で説明された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、ＣＤＭＡ２０01Ｘ、１Ｘなどと呼ばれることがある。ＩＳ−８５６（ＴＩＡ−８５６）は、ＣＤＭＡ２０01ｘＥＶ−ＤＯ、高速パケットデータ（ＨＲＰＤ：High Rate Packet Data）などと呼ばれることがある。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ  ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、３ＧＰＰと称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、無認可または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１４２】
[0156]添付の図面に関して上記に記載された詳細な説明は、例について説明しており、実装され得るまたは特許請求の範囲内に入る例のすべてを表すとは限らない。「例」および「例示的」という語は、この説明で使用されるとき、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０１４３】
[0157]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４４】
[0158]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１４５】
[0159]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして非一時的コンピュータ可読媒体上に記憶されるか、あるいは非一時的コンピュータ可読媒体を介して送信され得る。他の例および実装形態が、本開示および添付の特許請求の範囲および趣旨内にある。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する構成要素はまた、機能の部分が、異なる物理ロケーションにおいて実装されるように分散されることを含めて、様々な位置に物理的に配置され得る。特許請求の範囲を含めて、本明細書で使用される場合、２つ以上の項目の列挙中で使用されるとき、「または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような選言的列挙を示す。
【０１４６】
[0160]非一時的コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、非一時的コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続も非一時的コンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。上記の組合せも非一時的コンピュータ可読媒体の範囲内に含まれる。
【０１４７】
[0161]本開示についての以上の説明は、当業者が本開示を作成または使用することができるように与えられた。本開示の様々な変更は当業者には容易に明らかとなり、本明細書で定義される一般原理は、本開示の範囲から逸脱することなく他の変形形態に適用され得る。したがって、本開示は、本明細書で説明された例および設計に限定されるべきでなく、本明細書で開示された原理および新規の技法に合致する最も広い範囲を与えられるべきである。
【図１】
2018533888.tif 000003
【図２】
2018533888.tif 000004
【図３Ａ】
2018533888.tif 000005
【図３Ｂ】
2018533888.tif 000006
【図４】
2018533888.tif 000007
【図５】
2018533888.tif 000008
【図６】
2018533888.tif 000009
【図７】
2018533888.tif 000010
【図８】
2018533888.tif 000011
【図９】
2018533888.tif 000012
【図１０】
2018533888.tif 000013
【図１１】
2018533888.tif 000014
【図１２】
2018533888.tif 000015
【図１３】
2018533888.tif 000016
【図１４】
2018533888.tif 000017
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
第１のユーザ機器（ＵＥ）グループに第１の構成情報をシグナリングするためのワイヤレスリソースの第１のサブセットを識別することと、
第２のＵＥグループに第２の構成情報をシグナリングするためのワイヤレスリソースの第２のサブセットを識別することと、前記第１の構成情報および前記第２の構成情報は、共有無線周波数スペクトル帯域を使用するワイヤレス通信のための１つまたは複数のパラメータを含み、
ワイヤレスリソースの前記第１のサブセットを使用して前記第１の構成情報を送信し、ワイヤレスリソースの前記第２のサブセットを使用して前記第２の構成情報を送信することと、
を備える、ワイヤレス通信のための方法。
【請求項２】
前記第１の構成情報および前記第２の構成情報は、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを使用して送信される、請求項１に記載の方法。
【請求項３】
前記第１の構成情報は、前記ＰＨＩＣＨを使用してシグナリングされ、前記第２の構成情報は、前記ＰＣＦＩＣＨまたは前記ＰＤＣＣＨのうちの１つまたは複数を使用してシグナリングされる、請求項２に記載の方法。
【請求項４】
ワイヤレスリソースの前記第１のサブセットまたはワイヤレスリソースの前記第２のサブセットのうちの１つを監視するようにＵＥを構成すること、
をさらに備える、請求項１に記載の方法。
【請求項５】
前記ＵＥを構成することは、
前記ＵＥがワイヤレスリソースの前記第１のサブセットまたはワイヤレスリソースの前記第２のサブセットのうちのどちらを監視すべきであるかを示す無線リソース制御（ＲＲＣ）情報を、前記ＵＥに送信すること、
をさらに備える、請求項４に記載の方法。
【請求項６】
前記第１の構成情報は、フレームフォーマットパラメータのセットを備え、前記第２の構成情報は、異なるパラメータ値を有する、フレームフォーマットパラメータの前記セットと重複する少なくとも１つのパラメータを備える、請求項１に記載の方法。
【請求項７】
フレームフォーマットパラメータの前記セットは、マルチメディアブロードキャスト単一周波数ネットワーク（ＭＢＳＦＮ）サブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することを停止する持続時間パラメータ、基準信号電力変動パラメータ、非周期的ＣＳＩ−ＲＳ存在パラメータまたは発見基準信号（ＤＲＳ）存在指示および構成、システム情報存在パラメータ、あるいは非監視サブフレームパラメータのうちの１つまたは複数を備える、請求項６に記載の方法。
【請求項８】
前記第１の構成情報は、前記第１のＵＥグループのＵＥによって使用されるべきフレームフォーマットパラメータのセットの第１のサブセットを備え、前記第２の構成情報は、前記第２のＵＥグループのＵＥによって使用されるべきフレームフォーマットパラメータの前記セットの第２のサブセットを備える、請求項１に記載の方法。
【請求項９】
フレームフォーマットパラメータの前記セットの前記第１のサブセットとフレームフォーマットパラメータの前記セットの前記第２のサブセットとのマッピングは、無線リソース制御（ＲＲＣ）シグナリングを介して前記第１のＵＥグループと前記第２のＵＥグループとに与えられる、請求項８に記載の方法。
【請求項１０】
前記送信することは、
前記第１の構成情報と前記第２の構成情報とをブロックコーディングすること、
をさらに備える、請求項１に記載の方法。
【請求項１１】
前記送信することは、
前記第１の構成情報のための第１の巡回冗長検査（ＣＲＣ）と、前記第２の構成情報のための第２のＣＲＣとを計算することと、
前記第１の構成情報に前記第１のＣＲＣを付加し、前記第２の構成情報に前記第２のＣＲＣを付加することと、
をさらに備える、請求項１に記載の方法。
【請求項１２】
前記送信することは、
前記第１のＵＥグループに割り当てられた第１の無線ネットワーク一時識別子（ＲＮＴＩ）を用いて前記第１のＣＲＣをスクランブルすることと、前記第２のＵＥグループに割り当てられた第２のＲＮＴＩを用いて前記第２のＣＲＣをスクランブルすることと、
をさらに備える、請求項１１に記載の方法。
【請求項１３】
前記第１の構成情報は、現在サブフレームと少なくとも１つの後続のサブフレームとのための情報を備える、請求項１に記載の方法。
【請求項１４】
前記第１の構成情報は、前記第１の構成情報のサイズを示すヘッダをさらに備える、請求項１に記載の方法。
【請求項１５】
前記第１の構成情報は、２つまたはそれ以上のサブフレーム間の電力変動を示すための電力変動情報をさらに備える、請求項１に記載の方法。
【請求項１６】
１つまたは複数のサブフレームのためのフレームフォーマット情報を含んでいるワイヤレスリソースのセットのサブセットを識別する構成情報を受信することと、前記フレームフォーマット情報は、共有無線周波数スペクトル帯域を使用するワイヤレス通信のための１つまたは複数のパラメータを備え、
ワイヤレスリソースの前記セットの前記サブセットを監視することと、
ワイヤレスリソースの前記セットの前記サブセット上で前記フレームフォーマット情報を受信することと、
を備える、ワイヤレス通信のための方法。
【請求項１７】
ワイヤレスリソースの前記セットの前記サブセットは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを備える、請求項１６に記載の方法。
【請求項１８】
前記フレームフォーマット情報の第１の部分は前記ＰＨＩＣＨ上で受信され、前記フレームフォーマット情報の第２の部分は前記ＰＣＦＩＣＨまたは前記ＰＤＣＣＨ上で受信される、請求項１７に記載の方法。
【請求項１９】
前記構成情報は、基地局から無線リソース制御（ＲＲＣ）シグナリングを介して受信される、請求項１６に記載の方法。
【請求項２０】
前記フレームフォーマット情報は、マルチメディアブロードキャスト単一周波数ネットワーク（ＭＢＳＦＮ）サブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することを停止する持続時間パラメータ、基準信号電力変動パラメータ、非周期的ＣＳＩ−ＲＳ存在パラメータまたは発見基準信号（ＤＲＳ）存在指示および構成、システム情報存在パラメータ、あるいは非監視サブフレームパラメータのうちの１つまたは複数を備える、請求項１６に記載の方法。
【請求項２１】
第１のユーザ機器（ＵＥ）グループに第１の構成情報をシグナリングするためのワイヤレスリソースの第１のサブセットを識別するための手段と、
第２のＵＥグループに第２の構成情報をシグナリングするためのワイヤレスリソースの第２のサブセットを識別するための手段と、前記第１の構成情報および前記第２の構成情報は、共有無線周波数スペクトル帯域を使用するワイヤレス通信のための１つまたは複数のパラメータを含み、
ワイヤレスリソースの前記第１のサブセットを使用して前記第１の構成情報を送信し、ワイヤレスリソースの前記第２のサブセットを使用して前記第２の構成情報を送信するための手段と、
を備える、ワイヤレス通信のための装置。
【請求項２２】
前記第１の構成情報および前記第２の構成情報は、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを使用して送信される、請求項２１に記載の装置。
【請求項２３】
前記第１の構成情報は、前記ＰＨＩＣＨを使用してシグナリングされ、前記第２の構成情報は、前記ＰＣＦＩＣＨまたは前記ＰＤＣＣＨのうちの１つまたは複数を使用してシグナリングされる、請求項２に記載の方法。
【請求項２４】
ワイヤレスリソースの前記第１のサブセットまたはワイヤレスリソースの前記第２のサブセットのうちの１つを監視するようにＵＥを構成するための手段、
をさらに備える、請求項２１に記載の装置。
【請求項２５】
前記ＵＥがワイヤレスリソースの前記第１のサブセットまたはワイヤレスリソースの前記第２のサブセットのうちのどちらを監視すべきであるかを示す無線リソース制御（ＲＲＣ）情報を、前記ＵＥに送信するための手段、
をさらに備える、請求項２４に記載の装置。
【請求項２６】
前記第１の構成情報は、フレームフォーマットパラメータのセットを備え、前記第２の構成情報は、異なるパラメータ値を有する、フレームフォーマットパラメータの前記セットと重複する少なくとも１つのパラメータを備える、請求項２１に記載の装置。
【請求項２７】
１つまたは複数のサブフレームのためのフレームフォーマット情報を含んでいるワイヤレスリソースのセットのサブセットを識別する構成情報を受信するための手段と、前記フレームフォーマット情報は、共有無線周波数スペクトル帯域を使用するワイヤレス通信のための１つまたは複数のパラメータを備え、
ワイヤレスリソースの前記セットの前記サブセットを監視するための手段と、
ワイヤレスリソースの前記セットの前記サブセット上で前記フレームフォーマット情報を受信するための手段と、
を備える、ワイヤレス通信のための装置。
【請求項２８】
ワイヤレスリソースの前記セットの前記サブセットは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを備える、請求項２７に記載の装置。
【請求項２９】
前記フレームフォーマット情報の第１の部分は前記ＰＨＩＣＨ上で受信され、前記フレームフォーマット情報の第２の部分は前記ＰＣＦＩＣＨまたは前記ＰＤＣＣＨ上で受信される、請求項２８に記載の装置。
【請求項３０】
前記構成情報は、基地局から無線リソース制御（ＲＲＣ）シグナリングを介して受信される、請求項２７に記載の装置。
【手続補正２】
【補正対象書類名】明細書
【補正対象項目名】０００８
【補正方法】変更
【補正の内容】
【０００８】
[0008]本開示で説明される技法は、共有無線周波数スペクトル帯域または専用無線周波数スペクトル帯域（または任意の利用可能な無線周波数スペクトル帯域）中での物理レイヤパラメータのシグナリングを可能にする。いくつかの例では、１つまたは複数の物理レイヤチャネルが、物理レイヤパラメータを送信するために再利用され得、（１つまたは複数の）チャネルの異なる部分が、ＵＥの異なるグループのための物理レイヤ情報を搬送し得る。基地局は、ＵＥグループに基づいて（１つまたは複数の）チャネルの構成された部分を監視するＵＥグループに、（たとえば、ＵＥ能力または送信されているデータのタイプに基づいて）ＵＥを構成し得る。このようにして、基地局は、１つまたは複数のサブフレームについてワイヤレス通信を受信するためにＵＥによって受信され得る物理レイヤパラメータを送信し得る。いくつかの例では、基地局は、無線リソース制御（ＲＲＣ）シグナリングを介してＵＥを構成し得、物理ハイブリッド自動再送要求（ＨＡＲＱ）インジケータチャネル（ＰＨＩＣＨ：physical HARQ indicator channel）、物理制御フォーマットインジケータチャネル（ＰＣＦＩＣＨ：physical control format indicator channel）、物理ダウンリンク制御チャネル（ＰＤＣＣＨ：physical downlink control channel）、またはそれらの組合せを使用して監視されるべき物理レイヤパラメータを送信し得る。
【手続補正３】
【補正対象書類名】明細書
【補正対象項目名】００３１
【補正方法】変更
【補正の内容】
【００３１】
[0045]本開示で説明される技法は、共有無線周波数スペクトル帯域または専用無線周波数スペクトル帯域（または任意の利用可能な無線周波数スペクトル帯域）中での物理レイヤパラメータのシグナリングを可能にする。いくつかの例では、１つまたは複数の物理レイヤチャネルが、物理レイヤパラメータを送信するために使用され得、（１つまたは複数の）チャネルの異なる部分が、ＵＥの異なるグループのための物理レイヤ情報を搬送し得る。基地局は、（たとえば、ＵＥ能力または送信されているデータのタイプに基づいて）ＵＥを、（１つまたは複数の）チャネルの構成された部分を監視するＵＥグループに、当該ＵＥグループに基づいて構成し得る。このようにして、基地局は、１つまたは複数のサブフレームについてワイヤレス通信を受信するためにＵＥによって受信され得る物理レイヤパラメータを送信し得る。いくつかの例では、基地局は、無線リソース制御（ＲＲＣ）シグナリングを介してＵＥを構成し得、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを使用して監視されるべき物理レイヤパラメータを送信し得る。
【手続補正４】
【補正対象書類名】明細書
【補正対象項目名】００４６
【補正方法】変更
【補正の内容】
【００４６】
[0060]前に示されたように、いくつかの状況では、ＵＥ１１５と基地局１０５との間のワイヤレス送信のための１つまたは複数のパラメータを調整することが望ましいことがある。本明細書で説明される様々な技法は、共有無線周波数スペクトル帯域または専用無線周波数スペクトル帯域（または任意の利用可能な無線周波数スペクトル帯域）中での物理レイヤパラメータのシグナリングを可能にする。いくつかの例では、１つまたは複数の物理レイヤチャネルが、物理レイヤパラメータを送信するために再利用され得、（１つまたは複数の）チャネルの異なる部分が、ＵＥ１１５の異なるグループのための物理レイヤ情報を搬送し得る。基地局１０５は、ＵＥグループに基づいて（１つまたは複数の）チャネルの構成された部分を監視する当該ＵＥグループに、（たとえば、ＵＥ能力または送信されているデータのタイプに基づいて）ＵＥ１１５を構成し得る。このようにして、基地局１０５は、１つまたは複数のサブフレームについてワイヤレス通信を受信するためにＵＥ１１５によって受信され得る物理レイヤパラメータを送信し得る。いくつかの例では、基地局１０５は、ＲＲＣシグナリングを介してＵＥ１１５を構成し得、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを使用して監視されるべき物理レイヤパラメータを送信し得る。
【手続補正５】
【補正対象書類名】明細書
【補正対象項目名】０１４７
【補正方法】変更
【補正の内容】
【０１４７】
[0161]本開示についての以上の説明は、当業者が本開示を作成または使用することができるように与えられた。本開示の様々な変更は当業者には容易に明らかとなり、本明細書で定義される一般原理は、本開示の範囲から逸脱することなく他の変形形態に適用され得る。したがって、本開示は、本明細書で説明された例および設計に限定されるべきでなく、本明細書で開示された原理および新規の技法に合致する最も広い範囲を与えられるべきである。
以下に本願の出願当初の特許請求の範囲に記載された発明を付記する。
[Ｃ１]  第１のユーザ機器（ＵＥ）グループに第１の構成情報をシグナリングするためのチャネルのワイヤレスリソースの第１のサブセットを識別することと、
第２のＵＥグループに第２の構成情報をシグナリングするための前記チャネルのワイヤレスリソースの第２のサブセットを識別することと、前記第１の構成情報および前記第２の構成情報は、共有無線周波数スペクトル帯域を使用するワイヤレス通信のための１つまたは複数のパラメータを含み、
ワイヤレスリソースの前記第１のサブセットを使用して前記第１の構成情報を送信し、ワイヤレスリソースの前記第２のサブセットを使用して前記第２の構成情報を送信することと、
を備える、ワイヤレス通信のための方法。
[Ｃ２]  前記チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを備える、Ｃ１に記載の方法。
[Ｃ３]  前記第１の構成情報は、前記ＰＨＩＣＨを使用してシグナリングされ、前記第２の構成情報は、前記ＰＣＦＩＣＨまたは前記ＰＤＣＣＨのうちの１つまたは複数を使用してシグナリングされる、Ｃ２に記載の方法。
[Ｃ４]  ワイヤレスリソースの前記第１のサブセットまたはワイヤレスリソースの前記第２のサブセットのうちの１つを監視するようにＵＥを構成すること、
をさらに備える、Ｃ１に記載の方法。
[Ｃ５]  前記ＵＥを構成することは、
前記ＵＥがワイヤレスリソースの前記第１のサブセットまたはワイヤレスリソースの前記第２のサブセットのうちのどちらを監視すべきであるかを示す無線リソース制御（ＲＲＣ）情報を、前記ＵＥに送信すること、
をさらに備える、Ｃ４に記載の方法。
[Ｃ６]  前記第１の構成情報は、フレームフォーマットパラメータのセットを備え、前記第２の構成情報は、異なるパラメータ値を有する、フレームフォーマットパラメータの前記セットと重複する少なくとも１つのパラメータを備える、Ｃ１に記載の方法。
[Ｃ７]  フレームフォーマットパラメータの前記セットは、マルチメディアブロードキャスト単一周波数ネットワーク（ＭＢＳＦＮ）サブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することを停止する持続時間パラメータ、基準信号電力変動パラメータ、非周期的ＣＳＩ−ＲＳ存在パラメータまたは発見基準信号（ＤＲＳ）存在指示および構成、システム情報存在パラメータ、あるいは非監視サブフレームパラメータのうちの１つまたは複数を備える、Ｃ６に記載の方法。
[Ｃ８]  前記第１の構成情報は、前記第１のＵＥグループのＵＥによって使用されるべきフレームフォーマットパラメータのセットの第１のサブセットを備え、前記第２の構成情報は、前記第２のＵＥグループのＵＥによって使用されるべきフレームフォーマットパラメータの前記セットの第２のサブセットを備える、Ｃ１に記載の方法。
[Ｃ９]  フレームフォーマットパラメータの前記セットの前記第１のサブセットとフレームフォーマットパラメータの前記セットの前記第２のサブセットとのマッピングは、無線リソース制御（ＲＲＣ）シグナリングを介して前記第１のＵＥグループと前記第２のＵＥグループとに与えられる、Ｃ８に記載の方法。
[Ｃ１０]  前記送信することは、
前記第１の構成情報と前記第２の構成情報とをブロックコーディングすること、
をさらに備える、Ｃ１に記載の方法。
[Ｃ１１]  前記送信することは、
前記第１の構成情報のための第１の巡回冗長検査（ＣＲＣ）と、前記第２の構成情報のための第２のＣＲＣとを計算することと、
前記第１の構成情報に前記第１のＣＲＣを付加し、前記第２の構成情報に前記第２のＣＲＣを付加することと、
をさらに備える、Ｃ１に記載の方法。
[Ｃ１２]  前記送信することは、
前記第１のＵＥグループに割り当てられた第１の無線ネットワーク一時識別子（ＲＮＴＩ）を用いて前記第１のＣＲＣをスクランブルすることと、前記第２のＵＥグループに割り当てられた第２のＲＮＴＩを用いて前記第２のＣＲＣをスクランブルすることと、
をさらに備える、Ｃ１１に記載の方法。
[Ｃ１３]  前記第１の構成情報は、現在サブフレームと少なくとも１つの後続のサブフレームとのための情報を備える、Ｃ１に記載の方法。
[Ｃ１４]  前記第１の構成情報は、前記第１の構成情報のサイズを示すヘッダをさらに備える、Ｃ１に記載の方法。
[Ｃ１５]  前記第１の構成情報は、２つまたはそれ以上のサブフレーム間の電力変動を示すための電力変動情報をさらに備える、Ｃ１に記載の方法。
[Ｃ１６]  １つまたは複数のサブフレームのためのフレームフォーマット情報を含んでいるチャネルのワイヤレスリソースのセットのサブセットを識別する構成情報を受信することと、前記フレームフォーマット情報は、共有無線周波数スペクトル帯域を使用するワイヤレス通信のための１つまたは複数のパラメータを備え、
ワイヤレスリソースの前記セットの前記サブセットを監視することと、
ワイヤレスリソースの前記セットの前記サブセット上で前記フレームフォーマット情報を受信することと、
を備える、ワイヤレス通信のための方法。
[Ｃ１７]  前記チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを備える、Ｃ１６に記載の方法。
[Ｃ１８]  前記フレームフォーマット情報の第１の部分は前記ＰＨＩＣＨ上で受信され、前記フレームフォーマット情報の第２の部分は前記ＰＣＦＩＣＨまたは前記ＰＤＣＣＨ上で受信される、Ｃ１７に記載の方法。
[Ｃ１９]  前記構成情報は、基地局から無線リソース制御（ＲＲＣ）シグナリングを介して受信される、Ｃ１６に記載の方法。
[Ｃ２０]  前記フレームフォーマット情報は、マルチメディアブロードキャスト単一周波数ネットワーク（ＭＢＳＦＮ）サブフレームタイプパラメータ、部分サブフレーム情報パラメータ、ダウンリンク／アップリンク構成パラメータ、ダウンリンク送信バースト長パラメータ、アップリンク送信のための持続時間パラメータ、ＵＥがダウンリンク送信を監視することを停止する持続時間パラメータ、基準信号電力変動パラメータ、非周期的ＣＳＩ−ＲＳ存在パラメータまたは発見基準信号（ＤＲＳ）存在指示および構成、システム情報存在パラメータ、あるいは非監視サブフレームパラメータのうちの１つまたは複数を備える、Ｃ１６に記載の方法。
[Ｃ２１]  第１のユーザ機器（ＵＥ）グループに第１の構成情報をシグナリングするためのチャネルのワイヤレスリソースの第１のサブセットを識別するための手段と、
第２のＵＥグループに第２の構成情報をシグナリングするための前記チャネルのワイヤレスリソースの第２のサブセットを識別するための手段と、前記第１の構成情報および前記第２の構成情報は、共有無線周波数スペクトル帯域を使用するワイヤレス通信のための１つまたは複数のパラメータを含み、
ワイヤレスリソースの前記第１のサブセットを使用して前記第１の構成情報を送信し、ワイヤレスリソースの前記第２のサブセットを使用して前記第２の構成情報を送信するための手段と、
を備える、ワイヤレス通信のための装置。
[Ｃ２２]  前記チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを備える、Ｃ２１に記載の装置。
[Ｃ２３]  前記第１の構成情報は、前記ＰＨＩＣＨを使用してシグナリングされ、前記第２の構成情報は、前記ＰＣＦＩＣＨまたは前記ＰＤＣＣＨのうちの１つまたは複数を使用してシグナリングされる、Ｃ２２に記載の装置。
[Ｃ２４]  ワイヤレスリソースの前記第１のサブセットまたはワイヤレスリソースの前記第２のサブセットのうちの１つを監視するようにＵＥを構成するための手段、
をさらに備える、Ｃ２１に記載の装置。
[Ｃ２５]  前記ＵＥがワイヤレスリソースの前記第１のサブセットまたはワイヤレスリソースの前記第２のサブセットのうちのどちらを監視すべきであるかを示す無線リソース制御（ＲＲＣ）情報を、前記ＵＥに送信するための手段、
をさらに備える、Ｃ２４に記載の装置。
[Ｃ２６]  前記第１の構成情報は、フレームフォーマットパラメータのセットを備え、前記第２の構成情報は、異なるパラメータ値を有する、フレームフォーマットパラメータの前記セットと重複する少なくとも１つのパラメータを備える、Ｃ２１に記載の装置。
[Ｃ２７]  １つまたは複数のサブフレームのためのフレームフォーマット情報を含んでいるチャネルのワイヤレスリソースのセットのサブセットを識別する構成情報を受信するための手段と、前記フレームフォーマット情報は、共有無線周波数スペクトル帯域を使用するワイヤレス通信のための１つまたは複数のパラメータを備え、
ワイヤレスリソースの前記セットの前記サブセットを監視するための手段と、
ワイヤレスリソースの前記セットの前記サブセット上で前記フレームフォーマット情報を受信するための手段と、
を備える、ワイヤレス通信のための装置。
[Ｃ２８]  前記チャネルは、物理ハイブリッド自動再送要求（ＨＡＲＱ）インジケータチャネル（ＰＨＩＣＨ）、物理制御フォーマットインジケータチャネル（ＰＣＦＩＣＨ）、物理ダウンリンク制御チャネル（ＰＤＣＣＨ）、またはそれらの組合せを備える、Ｃ２７に記載の装置。
[Ｃ２９]  前記フレームフォーマット情報の第１の部分は前記ＰＨＩＣＨ上で受信され、前記フレームフォーマット情報の第２の部分は前記ＰＣＦＩＣＨまたは前記ＰＤＣＣＨ上で受信される、Ｃ２８に記載の装置。
[Ｃ３０]  前記構成情報は、基地局から無線リソース制御（ＲＲＣ）シグナリングを介して受信される、Ｃ２７に記載の装置。
【国際調査報告】
2018533888.tif 000018
2018533888.tif 000019
2018533888.tif 000020